(57)【要約】車両に使用される、ハウジング、ベゼル（１３０）、およびリアビュー要素（１２０）を含むリアビュー装置（１００）。一実施形態では、ベゼルは、ベゼルの中または下に配置された１つまたは複数のライトアセンブリが周囲を照らし、運転者または他の人に様々な機能を提供できるように、透明またはクロムベースのコーティングを含んでいる。例えば、様々なインジケータ機能を提供できる。様々な電子的手段をベゼルの中または下に配置して、リアビュー装置内の使用スペースを最適化することができる。【選択図】図１
2020511362.tif 000002
【特許請求の範囲】
【請求項１】
車両で使用するための多機能リアビュー装置（１００、７００、９００）において、
反射要素、カメラ、およびディスプレイ要素の少なくとも１つを含むリアビュー要素（１２０、７５０、９５０）と、
前記リアビュー要素（１２０、７５０、９５０）を囲む多機能リアビュー装置（１００、７００、９００）の外側部分に形成されたベゼル（１３０、７２０、９２０）であって、
前記ベゼル（１３０、７２０、９２０）内に内部空間が形成され、
１つまたは複数のライトアセンブリ（２００、６１０、８１０）および１つまたは複数の電子手段の少なくとも１つが前記ベゼル（１３０）の前記内部空間内に少なくとも部分的に配置された、
ベゼル（１３０、７２０、９２０）と、を備え、
前記リアビュー要素（１２０、７５０、９５０）は、ベゼル（１３０、７２０、９２０）、および前記車両に取り付けられて前記車両に対して移動可能に構成されたハウジング（１１０）の少なくとも１つに取り付けられた、多機能リアビュー装置（１００、７００、９００）。
【請求項２】
請求項１に記載の多機能リアビュー装置（１００）において、前記ベゼル（１３０）は、着色された、表面仕上げされた、透明、およびコーティングされた、のうちの少なくとも１つであるプラスチック基材で作られた、および／または、ベゼル（１３０）がコーティングされ、前記ベゼル（１３０）のコーティングは、装飾コーティング、先進表面技術（ＡＳＴ）表面コーティング、およびスペクトル制御システムのうちの少なくとも１つである、および／または
前記ベゼル（１３０）は、ポリマー基材から形成または成形された、多機能リアビュー装置（１００）。
【請求項３】
請求項１または２に記載の多機能リアビュー装置（１００）において、前記ベゼルは透明であり、クロムベースのコーティングを含み、点灯するまで前記ベゼルの下の１つまたは複数のライトアセンブリを隠し、好ましくは、クロムベースのコーティングは、クロムとドーパント材料の合金であり、前記ドーパント材料は、六方最密遷移金属から選択され、前記合金は、二次オメガ六方最密相と共存する一次体心立方相の結晶構造を有する、多機能リアビュー装置（１００）。
【請求項４】
請求項１乃至３のいずれか１項に記載の多機能リアビュー装置（１００）において、前記１つまたは複数のライトアセンブリは、少なくとも１つまたは複数のライト機能表示を提供し、好ましくは方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示；および／または
前記１つまたは複数のライトアセンブリ（２００）はそれぞれ、プリント回路基板、発光ダイオード、統合レンズ、自己充電照明材料、フレキシブル回路基板、電球、及びランプの少なくとも１つを備えた、多機能リアビュー装置（１００）。
【請求項５】
請求項１乃至４のいずらか１項に記載の多機能リアビュー装置（１００）において、
前記１つまたは複数のライトアセンブリ（２００）のうちの１つのみのライトアセンブリ（２００）を備え、
前記ライトアセンブリ（２００）は、前記ベゼル（１３０）の異なる位置に光を向けるように構成された、及び／または、
前記ライトアセンブリ（２００）は、異なるライト機能表示を提供するために、異なる特性の光を前記ベゼル（１３０）の異なる位置に向けるように構成された、多機能リアビュー装置（１００）。
【請求項６】
請求項１乃至４のいずれか１項に記載の多機能リアビュー装置（１００）において、
異なる光機能の表示を提供するために、異なる特性を有する光を前記ベゼルの異なる位置に向けるように構成された１つまたは複数のライトアセンブリ（２００）の複数のライトアセンブリ（２００）を備え、
前記異なる光特性は、光の色、光強度、および光パルス長の少なくとも１つによって決定され、および／または、
前記ベゼル（１３０）の前記異なる位置は、リアビュー要素（１２０）の上のベゼル（１３０）の位置、リアビュー要素（１２０）の下のベゼル（１３０）の位置、車両に面する前記ベゼル（１３０）の位置、および、前記車両に対向していない前記ベゼル（１３０）の位置の少なくとも１つを含み、および／または、
前記複数のライトアセンブリ（２００）は、４つのライトアセンブリ（２００）を備え、第１のライトアセンブリ（２００）はリアビュー装置の上の前記ベゼル（１３０Ａ）の前記内部空間に配置され、第２のライトアセンブリ（２００）は前記リアビュー装置の下の前記ベゼル（１３０Ｂ）の前記内部空間内に配置され、第３のライトアセンブリ（２００）は前記車両と対向する前記ベゼル上の位置でベゼル（１３０Ｃ）の前記内部空間内に配置され、第４のライトアセンブリ（２００）は、前記ベゼル（１３０Ｄ）の前記内部空間内の前記車両と対向していない位置に配置された、多機能リアビュー装置（１００）。
【請求項７】
請求項１乃至６のいずれか１項に記載の多機能リアビュー装置（１００）において、各ライトアセンブリ（２００）は、プリント回路基板を使用せずに、または表面マウント、オーバーモールド、導電性材料、またはプリントされた材料を使用して、前記ベゼル（１３０）のプラスチック部分に直接的に配置された、多機能装置（１００）。
【請求項８】
請求項１乃至７のいずれか１項に記載の多機能装置（１００）において、導体経路、前記電子手段、および１つまたは複数のライトアセンブリ（２００）のうちの少なくとも１つは、導電性箔（ＩＭＬ）およびレーザー直接構造化（ＬＤＳ）により、少なくとも１つの射出成形（ＭＩＤ）により少なくとも前記ベゼル（１３０）に直接的に適用される、請求項１記載の多機能装置（１００）。
【請求項９】
請求項１乃至８のいずれか１項に記載の多機能装置（１００）において、前記１つまたは複数のライトアセンブリ（２００）を備え、
前記１つまたは複数のライトアセンブリ（２００）は、前記ベゼル（１３０）の前記内部空間にクリップ留め可能な一体型コネクタを有するＬＥＤホルダを備え、および／または、
前記１つまたは複数のライトアセンブリ（２００）は、
少なくとも１つのワイヤを有するが、プリント回路基板を含まない少なくとも１つの光源ユニット（２３０）、
前記光源ユニット（２３０）を支持し、保持および接続の少なくとも一方に適した手段を備えたハウジングユニット、および、
シール手段を備え、および／または、
前記１つまたは複数のライトアセンブリは、ＬＥＤライト、ライトテープ、プリント照明、光学ライトガイド、ランプ、照明充電材料、充電セル、太陽電池、またはバッテリの少なくとも１つを備えた光源（２３０）を備えた、多機能装置（１００）。
【請求項１０】
請求項１乃至９のいずれか１項に記載の多機能装置（１００）において、前記１つまたは複数のライトアセンブリ（２００）を備え、前記１つまたは複数のライトアセンブリ（２００）は、前記ベゼル（１３０）全体が一度に１つの色を有することができるように、複数の異なる色の光を前記ベゼル（１３０）の表面全体に向けるように構成されるとともに、前記ベゼル（１３０）の異なるゾーン（１３０Ａ、１３０Ｂ、１３０Ｃ、１３０Ｄ）が一度に異なる色を有することができる、前記ベゼル（１３０）の異なるゾーン（１３０Ａ、１３０Ｂ、１３０Ｃ、１３０Ｄ）に複数の異なる色の光を提供するように構成された、多機能装置（１００）。
【請求項１１】
請求項１乃至１０のいずれか１項に記載の多機能装置（１００）において、前記ハウジング（１１０）、前記反射要素（１２０）、および前記ベゼル（１３０）は、前記多機能装置（１００）がほこり、水、または湿気から保護するために外部環境から密閉されるように一体的に形成された、多機能装置（１００）。
【請求項１２】
請求項１乃至１１のいずれか１項に記載の多機能装置（１００）において、前記ベゼル（１３０）の前記内部空間内に配置された光拡散器（１５０）をさらに備えた、多機能装置（１００）。
【請求項１３】
請求項１乃至１２のいずれか１項に記載の多機能装置（１００）において、前記多機能装置（１００）は、アクチュエータに機能的に接続され、前記アクチュエータは、好ましくは前記多機能装置（１００）がセルフドッキングまたは直接接触により前記アクチュエータに機能的に接続されることにより、前記ハウジング（１１０）の外側に配置された、多機能装置（１００）。
【請求項１４】
請求項１３に記載の多機能装置（１００）において、前記アクチュエータは、前記リアビュー要素（１２０）だけでなく、前記ハウジング（１１０）を全体的に含む前記多機能装置（１００）を移動させる、および／または、前記アクチュエータは、回転運動および並進運動の少なくとも一方のために構成される、および／または、前記アクチュエータは、特にＬＩＮまたはＣＡＮ接続を使用して、前記１つまたは複数のライトアセンブリ（２００）の光出力を決定する、請求項１３に記載の多機能装置。
【請求項１５】
請求項１乃至１４のいずれか１項に記載の多機能装置（１００）において、前記車両に固定するのに適した脚部をさらに備え、前記ベゼル（１３０）を有する前記ハウジング（１１０）がそれに対して移動可能であり、好ましくは前記脚部が前記ハウジング（１１０）用の少なくとも１つの球面シートを提供する、多機能装置（１００）。
【請求項１６】
請求項１乃至１５のいずれ１項に記載の多機能装置（１００）において、前記ハウジング（１１０）は、上部部分と下部部分とを備え、前記ベゼル（１３０）は両方の部分に取り付けられた、多機能装置（１００）。
【請求項１７】
請求項１乃至１６のいずれ１項に記載の多機能装置（１００）において、前記ベゼル（１３０）は、前記ハウジングに固定、接着、取り外し可能に取り付け、またはクリップ留めされた、および／または、前記ベゼル（１３０）は、前記１つまたは複数のライトアセンブリ（２００）および電子手段のうちの少なくとも１つとともにハウジングに取り付けられた、多機能装置（１００）。
【請求項１８】
請求項１乃至１７のいずれ１項に記載の多機能装置（１００）において、前記１つまたは複数のライトアセンブリ（２００）、前記ディスプレイ要素、アクチュエータ、カメラコントローラー、またはクリーニング装置の少なくとも１つを制御するために、前記車両の制御ユニットへの接続をさらに備えた、多機能装置（１００）。
【請求項１９】
請求項１乃至１８のいずれ１項に記載の多機能装置（１００）において、少なくとも１つのセンサをさらに備え、前記センサの出力は、前記１つまたは複数のライトアセンブリ（２００）、ディスプレイ、およびアクチュエータのうちの少なくとも１つを制御し、
好ましくは、前記センサはカメラである、および／または、
好ましくは、前記センサは、複数の光強度または光輝度を制御するための光センサである、
請求項１に記載の多機能装置（１００）。
【請求項２０】
請求項１乃至１９のいずれ１項に記載の多機能装置（１００）において、前記リアビュー要素（１２０）用のヒータおよびワイパのうちの少なくとも１つ、および／または、
調光要素、
をさらに備えた、多機能装置（１００）、
【請求項２１】
請求項１乃至２０のいずれ１項に記載の多機能装置（１００）において、前記電子手段は、前記１つまたは複数のライトアセンブリ（２００）、前記ディスプレイ要素、アクチュエータ、センサ、カメラ、ヒータ、及びワイパの少なくとも１つに接続され、好ましくは前記電子手段と前記ベゼル（１３０）とがユニットを構成した、多機能装置（１００）。
【請求項２２】
請求項１乃至２１のいずれ１項に記載の多機能装置（７００，９００）において、前記１つまたは複数の光要素を含むフレキシブル回路（６００，８００）をさらに備え、前記１つまたは複数の光要素（６１０，８１０）は前記フレキシブル回路（６００、８００）直接に取り付けられた、請求項１に記載の多機能装置。
【請求項２３】
請求項２２に記載の多機能装置（７００，９００）において、前記フレキシブル回路（６００，８００）は、前記１つまたは複数の光要素を制御するように構成されるとともに外部コネクタ（９１０）を受けるための、単一のコネクタ制御ユニット（６２０，８２０）をさらに備える、及び／または、
前記フレキシブル回路（６００、８００）は、リアビュー要素（７５０、９５０）を加熱するように構成された統合加熱パッド（６３０、８３０）をさらに備える、および／または、
前記フレキシブル回路（６００、８００）は、統合温度センサ（６４０、８４０）をさらに備える、および／または、
前記フレキシブル回路（６００、８００）は、統合されたＷｉ−Ｆｉまたはブルートゥース（登録商標）通信ユニット（８５０）の少なくとも１つおよびアンテナ（８６０）をさらに備える、及び／または、
前記フレキシブル回路（８００）は、リアビュー要素（９５０）を加熱し、前記ベゼル（９２０）内に形成されたスロット（９６０）の周りで曲がるように構成された統合加熱パッド（８３０）をさらに備える、多機能装置（７００，９００）。
【請求項２４】
請求項２２または２３に記載の多機能装置（７００，９００）において、前記ベゼル（７２０，９２０）は、インジケータ、特にサイドターンインジケータ、として機能するための光を受けるように構成された受光部（９４０）を備えた、多機能装置（７００，９００）。
【請求項２５】
請求項２２乃至２４のいずれ１項に記載の多機能装置（７００，９００）において、前記１つまたは複数の照明要素（６１０、８１０）は、さまざまな機能を提供するために異なる色の光を投射するように構成された少なくとも２つの照明要素（６１０、８１０）である、および／または、
前記１つまたは複数の照明要素（６１０、８１０）は、異なる機能を提供するために異なる色の光を投射するように構成された少なくとも４つの照明要素（６１０、８１０）である、多機能装置（７００，９００）。
【請求項２６】
請求項２５に記載の多機能装置（７００，９００）において、提供される前記異なる機能は、方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示を含む、多機能装置（７００，９００）。
【発明の詳細な説明】
【技術分野】
【０００１】
この出願は、２０１７年３月１３日に出願された米国仮特許出願第６２／４７０，６５８号の利益を主張し、これはあらゆる目的のためにその全体が参照により本明細書に組み込まれる。また、この出願は、２０１５年９月３日に出願された欧州特許出願第１５１８３７４８．１号に対する外国優先権の利益を主張する米国特許出願第１５／２５６，５３２号の一部継続出願であり、各出願はあらゆる目的のためにその全体が参照により本明細書に組み込まれる。また、この出願は、２０１５年９月３日に出願された欧州特許出願第１５１８３７５８．０に対する外国優先権の利益を主張する２０１６年９月３日に出願された米国特許出願第１５／２５６，５４０の一部継続出願であり、あらゆる目的のためにその全体が参照により本明細書に組み込まれる。また、この出願は、２０１４年３月７日に出願されたオーストラリア特許出願第２０１４９００７８１号に対する外国優先権の利益を主張する、２０１５年２月２０日に出願された国際特許出願第ＰＣＴ／ＡＵ２０１５／００００９３の国内段階である、２０１６年９月７日に出願された米国特許出願第１５／１２４，３１０号の一部継続出願であり、それぞれはあらゆる目的のためにその全体が参照により本明細書に組み込まれる。また、この出願は、２０１６年１１月１４日に提出された欧州特許出願第１６１９８７５９．９号に対する外国優先権の利益を主張する、２０１７年５月２４日に出願された米国特許出願第１５／６０３，７５１号の一部継続出願である、２０１７年１１月１日に出願された米国特許出願第１５／８００，４１３号の一部継続出願であり、それぞれはあらゆる目的のためにその全体が参照により本明細書に組み込まれる。また、この出願は、２０１４年１２月５日に出願された欧州特許出願第１４１９６５８２号、および２０１５年４月８日に出願された欧州特許出願第１５１６２８５０号に対する外国優先権の利益を主張する、２０１６年６月９日に出願された国際特許出願第ＰＣＴ／ＩＢ２０１５／０５９４１９の国内段階である、２０１７年６月５日に出願された米国特許出願第２０１７３２７１６７号の一部継続出願であり、それぞれはあらゆる目的のためにその全体が参照により本明細書に組み込まれる。また、この出願は、２０１２年９月１１日に出願されたドイツ特許出願第１０２０１２１０８４８０．７に対する外国優先権の利益を主張する、２０１３年９月１０日に出願された米国特許出願第１４／０２２，８９６号の一部継続出願である、２０１６年１月１９日に出願され、米国特許第９，７９６，３３３号として現在発行されている米国特許出願第１５／０００，７５４の一部継続出願である、２０１７年５月３０日に出願された米国特許出願第１５／６０７，８９４の一部継続出願であり、それぞれはあらゆる目的のためにその全体が参照により本明細書に組み込まれる。また、この出願は、２０１２年１月２４日に提出されたオーストラリア特許出願番号２０１２９００２６７に対する外国優先権の利益を主張する、２０１３年１月２４日に提出されたＰＣＴ／ＡＵ２０１３／００００４７の国内段階であり、２０１４年７月２４日出願の米国特許出願第１４／３７４，３７６の一部継続出願であり、現在は国際特許出願の国内段階登録である、米国特許第９，１８１，６１６号として発行されている２０１５年１１月９日に出願され、米国特許第９，６５６，６０１号として現在発行されている米国特許出願第１４／９３６，０２４の一部継続出願である、２０１７年２月２２日に出願された米国特許出願第１５／４３９，１８８の一部継続出願であり、それぞれはあらゆる目的のためにその全体が参照により本明細書に組み込まれる。
【０００２】
１．  発明の分野
以下の説明は、車両のリアビュー装置に関する。例えば、そのようなリアビュー装置は、運転者またはベゼルを見ている他の人に異なる機能を提供するために照らされることのできるベゼルを含んでいてもよい。
【背景技術】
【０００３】
２．  関連技術
光源が組み込まれた車両の外部リアビュー装置は、最先端技術においてよく知られている。典型的には、例えば米国特許第７，６００，９０５号または欧州特許第２３４０９６７号に記載されているように、点滅方向指示器は安全性を高め、設計を強化するために設置されている。
【０００４】
また、警告インジケータやその他の光源がハウジング、ベゼル、リアビュー要素の後ろに組み込まれ、方向指示器、ブレーキ信号、死角インジケータとして機能している。そのような光源は、欧州特許第２１５１３５０号、欧州特許第２４６３１５２号、欧州特許第２４６３１５３号、米国特許第７，６７４，０２５号、米国特許第８，１６４，４８２号に記載されている。光ファイバを使用した警告インジケータは、米国特許第７，９５４，９８５号の外部リアビュー装置でも使用されている。さらに、外部リアビュー装置は、ビデオディスプレイとディスプレイ装置とを装備することができ、例えば米国特許第７，７７７，６１１号および米国特許第７，５８１，８５９号でインジケータとしても使用されている。
【０００５】
車両の乗員の安全性を高めるために地面およびドアの周囲の領域を照らす照明システムは、外部のリアビュー装置に組み込まれており、米国特許第６，１４９，２８７号に記載されているように周知である。
【０００６】
欧州特許第２１０６９７０号から、リアビュー要素の反射部の背後から生じる周囲光を提供する内部リアビュー装置が知られている。この構成は、必要なスペースを最小限に抑え、ドライバーの外観を向上させるための特定の設計基準を満たすベゼルレス設計を提供する。
【０００７】
これらすべての目的のために、高輝度、低消費電力、およびそれらの設置の容易さと柔軟性の需要を満たすために、異なるタイプの光源とガイドが特定され、それらのいくつかは、欧州特許第３１３８７３４号と欧州特許第３０６１５８７号とに記載されている。
【０００８】
また、導電性経路を含むヒータパッドを備えた鏡面反射要素は、米国特許出願公開第２０１６／０２２１５０５号に記載されている。米国特許出願公開第２０１６／０２２１５０５号は、反射要素およびヒータパッドを含む車両用の外部リアビューアセンブリ用のミラー反射要素アセンブリを記載している。ヒータパッドは、そこに確立された複数の導電性経路を有するヒータパッド基材を含んでいる。ヒータパッド基材は、反射要素の背面に配置されている。導電性経路は、（ｉ）加熱経路、（ｉｉ）第１および第２の電気光学制御経路、および／または（ｉｉｉ）アクセサリ制御経路を含み得る。
【０００９】
米国特許出願第２０１７３２７１６７号は、特にサイドミラーである、自動車用ミラーの製造方法を開示しており、ｎ＋１個のブランチ、ｎεΝ、を有するフレキシブルプリント回路基板としてプリント基材を形成し、それぞれ少なくとも１つの電気要素を含むｎ個のモジュールを提供し、最大でｎ個までのブランチを１つのモジュールに接続し、電源に、及び／または、ミラーの外の制御ユニットに接続するケーブルまたはケーブルハーネスに１つのブランチを接続することを含む。
【００１０】
リアビュー装置は、車両のドライバーに対して非常に目立つ位置にある。最先端の外部リアビュー装置は、通常、リアビュー要素を囲む黒または色付きのベゼルを有している。通常、リアビュー要素はベゼルに取り付けられておらず、車両ドライバーのニーズに合わせてリアビュー要素を調整できるように取り付けプレートに取り付けられている。車両ドライバーのニーズに合わせてリアビュー要素を調整するときに、アクチュエータはリアビュー要素を動かすだけである。したがって、ベゼル／ハウジングとリアビュー要素との間に追加の空間が必要であり、設置スペースの損失につながるため、そこに何も配置できない。通常、アクチュエータは、少なくとも８度以上１２度以下の角度内でリアビュー要素を調整する。これはさらに、リアビュー要素の背後に配置された電子機器や他のコンポーネントが環境条件にさらされることにつながる。
【００１１】
さらに、リアビュー装置は通常、ライトモジュール、加熱パッドなどのさまざまな機能を提供するために、いくつかの個別のモジュールを組み込んでいる。これにより、多くのコンポーネントを有するミラーアセンブリとなり、高い製造コストを有している。
【００１２】
結果として、車両の運転者および他の人に追加の機能を提供するために、追加の機能を提供及び要素を統合できるように、空間利用率を改善したリアビューミラーアセンブリが必要である。
【００１３】
したがって、運転者に追加の重要な情報を提供するために、リアビュー装置の視認性の高い位置を利用することが有利である。特に、そのコンポーネントから一体に形成された密閉型リアビュー装置を使用し、リアビュー装置の調整中にリアビュー装置全体を運転者に移動させる場合、リアビュー要素を調整するためにこれまで必要だった追加の空間を空けておく必要がなくなり、リアビュー要素のすぐ後ろの、および／または、ベゼルに取り付けられた、リアビュー装置への追加のコンポーネントおよび機能のインストール、に使用することができる。
【発明の概要】
【課題を解決するための手段】
【００１４】
車両で使用するための多機能リアビュー装置は、反射要素、カメラ、およびディスプレイ要素の少なくとも一つを含むリアビュー要素を含み、リアビュー要素を囲む多機能リアビュー装置の外側部分に形成されたベゼル、ベゼル内に形成された内部空間、およびベゼルの内部空間内に少なくとも部分的に配置された１つまたは複数のライトアセンブリの少なくとも１つを含み、リアビュー要素は、車両に取り付けられ、車両に対して移動可能に構成されたベゼルおよびハウジングの少なくとも１つに取り付けられている。
【００１５】
ベゼルは、着色、表面仕上げ、透明、及びコーティングの少なくとも１つであるプラスチック基材でできていてもよい。
ベゼルのコーティングは、装飾コーティング、先進表面技術（ＡＳＴ）表面コーティング、およびスペクトル制御システムの少なくとも１つであっていてもよい。
【００１６】
ベゼルは、ポリマー基材から形成または成形されていてもよい。
ベゼルは透明で、クロムベースのコーティングを含むことができ、ベゼルの下の１つまたは複数のライトアセンブリを点灯するまで隠すようになっていてもよい。
【００１７】
クロムベースのコーティングは、クロムとドーパント材料と合金であり、ドーパント材料は六方最密遷移金属から選択され、合金は二次オメガ六方最密相と共存する一次体心立方相の結晶構造を有している。
【００１８】
１つまたは複数のライトアセンブリは、方向インジケータ、アプローチライト、強いブレーキ信号、緊急ブレーキ信号、ロゴライト、水たまりライト、ヒューマンマシンインターフェース（ＨＭＩ）、ブラインドスポットインジケータ（ＢＳＩ）、充電インジケータの状態、車両モード、スポーツモード、エコノミーモード、自動運転モード、スリープモード、車両ロック、車両盗難、警告信号、温度または天気インジケータ、信号機信号、燃料状態、警察車両、ドクター車両、救急車、または交通メンテナンスを含む緊急車両の緊急表示、車両通信、握手、接続インジケータ、およびハザードライトを含む少なくとも１つまたは複数のライト機能表示を提供していてもよい。、
１つまたは複数のライトアセンブリはそれぞれ、プリント回路基板、発光ダイオード、集積レンズ、自己帯電照明材料のうちの少なくとも１つと、フレキシブル回路基板と、電球とランプと、を含んでいてもよい。
【００１９】
ライトアセンブリは、ベゼルのさまざまな位置に光を向けるように構成されていてもよい。
ライトアセンブリは、異なる特性を備えた照明をベゼルの異なる位置に向けて、異なる照明機能表示を提供するように構成されていてもよい。
【００２０】
複数のライトアセンブリは、異なる照明機能表示を提供するために、異なる特性を有する光をベゼルの異なる位置に向けるように構成されていてもよい。
異なる光特性は、光色、光強度、および光パルス長の少なくとも１つによって決定されていてもよい。
【００２１】
ベゼルのさまざまな位置には、少なくとも、リアビュー要素の上のベゼル上の位置、リアビュー要素の下のベゼル上の位置、車両に面するベゼル上の位置、および車両に面していないベゼル上の位置が含まれていてもよい。
【００２２】
複数のライトアセンブリは、リアビュー装置の上のベゼルの内部空間内に配置された第１のライトアセンブリ、リアビュー装置の下のベゼルの内部空間内に配置された第２のライトアセンブリ、ベゼルの車内に面した位置のベゼルの内部空間内に配置された第３のライトアセンブリ、およびベゼルの車内に面していない位置の内部空間内に配置された第４のライトアセンブリである４つのライトアセンブリを含んでいてもよい。
【００２３】
１つまたは複数のライトアセンブリは、プリント基材を使用せずに、または表面マウント、オーバーモールド、導電性材料、またはプリント材料を使用して、ベゼルのプラスチック部分に直接的に配置されていてもよい。
【００２４】
導体経路、電子手段、および１つまたは複数のライトアセンブリの少なくとも１つは、射出成形（ＭＩＤ）、導電性フォイル（ＩＭＬ）、およびレーザー直接構造化（ＬＤＳ）の少なくとも１つによってベゼルに直接的に適用されることができる。
【００２５】
１つまたは複数のライトアセンブリは、ベゼルの内部空間にクリップで留めることができる統合コネクタを備えたＬＥＤホルダを含んでいてもよい。
１つまたは複数のライトアセンブリは、少なくとも１つのワイヤを有するが、プリント回路基板、光源ユニットを支持して、保持および接続の少なくとも一方に適した手段が設けられたハウジングユニット、およびシール手段を含まない、少なくとも１つの光源ユニットを含んでいてもよい。
【００２６】
１つまたは複数のライトアセンブリは、ＬＥＤライト、ライトテープ、プリント照明、光学ライトガイド、ランプ、発光する帯電材料、帯電セル、太陽電池の少なくとも１つを含む光源、またはバッテリを含む光源を含んでいてもよい。
【００２７】
多機能装置は、ベゼル全体が一度に１つの色を有することができるように、ベゼルの表面全体に複数の異なる色の光を向けるように構成され、および、ベゼルの異なるゾーンに複数の異なる色のライトを提供して、ベゼルの異なるゾーンが一度に異なる色を有することができるように構成された、１つまたは複数のライトアセンブリを含んでいてもよい。
【００２８】
ハウジング、反射要素、およびベゼルは、多機能装置が外部環境から密閉され、ほこり、水、または湿気から保護されるように、一体的に形成されていてもよい。
多機能装置は、ベゼルの内部空間内に配置された光拡散器をさらに含んでいてもよい。
【００２９】
多機能リアビュー装置は、機能的にアクチュエータに接続されていてもよく、アクチュエータはハウジングの外側に配置されていてもよい。
多機能リアビュー装置は、セルフドッキングまたは直接接触によりアクチュエータに機能的に接続されていてもよい。
【００３０】
アクチュエータは、リアビュー要素だけでなく、ハウジング全体を含む多機能装置を移動させてもよい。
アクチュエータは、回転運動および並進運動の少なくとも一方のために構成されていてもよい。
【００３１】
多機能装置は、車両に固定されるのに適し、ベゼルを有するハウジングが移動可能な、脚部をさらに含んでいてもよい。
脚部は、ハウジングに少なくとも１つの球面座を提供していてもよい。
【００３２】
ハウジングは、上部及び下部を含んでもよく、ベゼルは両方の部分に取り付けられていてもよい。
ベゼルは、ハウジングに固定、接着、取り外し可能に取り付け、またはクリップ留めされていてもよい。
【００３３】
ベゼルは、１つまたは複数のライトアセンブリおよび電子手段のうちの少なくとも１つとともにハウジングに取り付けられていてもよい。
アクチュエータは、１つまたは複数の光アセンブリの光出力を判断してもよい。
【００３４】
アクチュエータは、ＬＩＮまたはＣＡＮ接続を使用して、１つまたは複数のライトアセンブリの光出力を判断してもよい。
多機能装置は、車両の制御ユニットへの接続をさらに含んで、１つまたは複数のライトアセンブリ、ディスプレイ要素、アクチュエータ、カメラ制御装置、または清掃装置の少なくとも１つを制御することができる。
【００３５】
多機能装置は、少なくとも１つのセンサをさらに含むことができ、センサの出力は、１つまたは複数のライトアセンブリ、ディスプレイ、およびアクチュエータのうちの少なくとも１つを制御する。
【００３６】
センサはカメラでもよい。
多機能装置は、リアビュー要素用のヒータおよびワイパの少なくとも一方をさらに含んでいてもよい。
【００３７】
電子手段は、１つまたは複数のライトアセンブリ、ディスプレイ要素、アクチュエータ、センサ、カメラ、ヒータ、およびワイパのうちの少なくとも１つに接続されていてもよい。
【００３８】
電子的手段とベゼルとはユニットを構成していてもよい。
多機能装置は、自動調光要素をさらに含んでいてもよい。
多機能装置は、複数の光強度または光輝度を制御するための光センサをさらに含んでいてもよい。
【００３９】
１つまたは複数のライトアセンブリは、サイドマーカ表示または駐車灯表示を含む少なくとも１つまたは複数の照明機能表示を提供してもよい。
多機能装置は、１つまたは複数の照明要素を含むフレキシブル回路をさらに含んでいてもよく、１つまたは複数の照明要素はフレキシブル回路に直接的に取り付けられていてもよい。
【００４０】
フレキシブル回路は、１つまたは複数の照明要素を制御し、外部コネクタを受け入れるように構成された単一のコネクタ制御ユニットをさらに含んでいてもよい。
フレキシブル回路は、リアビュー要素を加熱するように構成された統合加熱パッドをさらに含んでもよい。
【００４１】
フレキシブル回路は、統合温度センサをさらに含んでいてもよい。
フレキシブル回路は、統合されたＷｉ−ＦｉまたはＢｌｕｅｔｏｏｔｈ（登録商標）通信ユニットおよびアンテナのうちの少なくとも１つをさらに含んでいてもよい。
【００４２】
フレキシブル回路は、リアビュー要素を加熱するように構成され、ベゼル内に形成されたスロットの周りで曲がる統合加熱パッドをさらに含んでもよい。
ベゼルは、インジケータ、特にサイドターンインジケータとして機能するための光を受光するように構成された受光部を含んでいてもよい。
【００４３】
１つまたは複数の照明要素は、異なる機能を提供するために異なる色の光を投射するように構成された少なくとも２つの照明要素であってもよい。
１つまたは複数の照明要素は、異なる機能を提供するために異なる色の光を投射するように構成された少なくとも４つの照明要素であってもよい。
【００４４】
提供される様々な機能は、方向インジケータ、アプローチライト、強いブレーキ信号、緊急ブレーキ信号、ロゴライト、水たまりライト、ヒューマンマシンインターフェース（ＨＭＩ）、ブラインドスポットインジケータ（ＢＳＩ）、充電インジケータの状態、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、およびハザードライトを含む少なくとも１つまたは複数のライト機能表示を含んでいてもよい。
【図面の簡単な説明】
【００４５】
前述の概要および以下の詳細な説明は、添付の図面と併せて読むと、よりよく理解することができる。説明の目的のために、本開示の特定の実施形態が図面に示されている。しかし、本発明は、示された正確な配置および手段に限定されないことを理解されたい。本明細書に組み込まれ、その一部を構成する添付図面は、本発明と一致するシステムおよび装置の実装を示し、説明とともに、本発明と一貫性のある利点および原理を説明するのに役立つ。
【図１】リアビュー装置の一例の斜視図を示す図である。
【図２】線Ａ−Ａを有するリアビュー装置の別の斜視図を示す図である。
【図３】図２に示すＡ−Ａ線に沿ったリアビュー装置の断面図を示す図である。
【図４】ライトアセンブリの一例を示す図である。
【図５】リアビュー装置の斜視図と、リアビュー装置の詳細の２つの例を示す図である。
【図６】１つまたは複数の照明要素を含む集積フレキシブル回路の例を示す図である。
【図７】図６の集積フレキシブル回路を含むリアビュー装置の一例の斜視図を示す図である。
【図８】別の集積フレキシブル回路を含むリアビュー装置の別の例の斜視図を示す図である。
【発明を実施するための形態】
【００４６】
本発明の少なくとも１つの例を詳細に説明する前に、本発明は、その適用において、構造の詳細および以下の説明に記載されるかまたは図面に示される構成要素の配置に限定されないことを理解されたい。図面および説明は、特許による保護が求められている発明を作成および使用することを当業者に説明するために提供されている。本発明は、他の実施形態が可能であり、様々な方法で実施および実行されることができる。当業者は、明確化および理解のために商業的実施形態のすべての特徴が示されているわけではないことを理解するであろう。また、当業者は、本発明の態様を組み込んだ実際の商業的実施形態の開発には、商業的実施形態の開発者の究極の目標を達成するための多数の実装、特定の決定が必要であることを理解するであろう。これらの努力は複雑で時間がかかるかもしれないが、これらの努力は、本開示の利益を有する当業者にとっては日常的な仕事である。
【００４７】
また、本明細書で使用される語法および用語は説明を目的とするものであり、限定と見なされるべきではないことを理解されたい。たとえば、「ａ」などの単数形の用語の使用は、アイテムの数を制限することを意図したものではない。また、「頂部」、「底部」、「左」、「右」、「上方」、「下方」、「下」、「上」、「横」、「角」などの関係用語の使用は、図面を明確に参照するために説明で使用され、本発明または添付の特許請求の範囲を限定することを意図するものではない。さらに、本発明の特徴のいずれか１つを別個にまたは他の特徴と組み合わせて使用できることを理解されたい。本発明の他のシステム、方法、特徴、および利点は、図面および詳細な説明を検討すると、当業者には明らかであるか、明らかになるであろう。そのような追加のシステム、方法、特徴、および利点はすべて、この説明に含まれ、本発明の範囲内にあり、添付の特許請求の範囲によって保護されることが意図されている。
【００４８】
図１は、リアビュー装置１００の一例の斜視図を示す図である。図１に示すように、リアビュー装置１００は、ハウジング１１０、リアビュー要素１２０、およびベゼル１３０を含んでいる。ベゼル１３０は、複数の異なるゾーン１３０Ａ、１３０Ｂ、１３０Ｃ、１３０Ｄに細分されることができる。例として、４つの異なる位置またはゾーン１３０Ａ、１３０Ｂ、１３０Ｃ、１３０Ｄが示されている。これらの異なる位置１３０Ａ、１３０Ｂ、１３０Ｃ、１３０Ｄは、運転者および他の人へのインジケータなど、異なる機能または異なる機能の組み合わせを提供する。
【００４９】
４つまたは任意の数の個別のゾーン１３０Ａ、１３０Ｂ、１３０Ｃ、１３０Ｄを備えた多機能リアビュー装置ベゼル１３０は、それぞれが以下の機能の１つ以上または組み合わせ（単色または多色光源）を有し、当該機能は、透明コーティング、ＡＳＴコーティング、充電インジケータ、ロゴランプ、アプローチライト側の方向指示器、ＨＭＩ／ＢＬＩＳ、車両モード（スポーツ／エコノミー）、自動運転モード、スリープモード、車両のロック、車両の盗難、警告信号、温度／天気インジケータ、信号機信号、強力／緊急ブレーキ信号、燃料状態である。
【００５０】
異なる位置１３０Ａ、１３０Ｂ、１３０Ｃ、１３０Ｄの光は、色、強度、パルス長などの異なる特性を有することができるが、ベゼル１３０の全体または一部を照らすと同時に同じ光を提供するためにも使用されることができる。脚部がリアビュー装置１００に接続されていてもよい。
【００５１】
図２は、図３の断面図に使用される線Ａ−Ａを強調するリアビュー装置１００の一例を示す。
図３は、図２に示すＡ−Ａ線に沿ったリアビュー装置１００の断面図を示す図である。この例のリアビュー要素１２０は、内面に反射コーティングを施したガラス基材である。ＬＥＤライトストリップ１４０の形態のライトアセンブリは、ディフューザ１５０に取り付けられている。ディフューザー１５０は、ベゼル１３０に取り付けられている。ベゼル１３０は、化粧鏡のベゼル成形品として機能するように、統合された透明なクロムベースのコーティングを有する多機能外部ガラスベゼル１３０である。ハウジング１１０の塗装部分１１５が示されており、これはスキャルプ（ｓｃａｌｐ）塗装であってもよい。
【００５２】
図４は、ライトアセンブリ２００の一例を示す図である。この例のライトアセンブリ２００は、コネクタ２１０、ＰＣＢボード２２０、ＬＥＤ２３０、１つまたは複数のレンズ２４０、および少なくとも１つのフィルタ２５０を含んでいる。ライトアセンブリは、外部ハウジング２６０に配置されていてもよい。
【００５３】
図５は、リアビュー装置１００の斜視図と、リアビュー装置１００の詳細の２つの例を示す図である。
図５及びリアビュー装置１００の詳細を参照すると、図４によるライトアセンブリ２００は、リアビュー装置１００の内部に配置されていてもよい。ライトアセンブリ２００を制御し、ライトアアセンブリ２００に電力を供給するための外部コネクタ２１０Ａが示されている。リアビュー装置１００は、多機能外部ミラーガラスベゼル１３０を含み、一体型レンズ２４０が無いものを１つ、有るものを１つ示している。
【００５４】
前述の例によれば、この説明は、多機能リアビュー要素１２０、ハウジング１１０、およびベゼル１３０を含む、車両で使用するための多機能リアビュー装置１００を提供する。ハウジング１１０は、車両に取り付けられ、車両に取り付けられたときに車両に対して移動可能になるように構成されていてもよい。リアビュー要素１２０は、反射要素およびディスプレイ要素の少なくとも一方を含むことができ、ハウジング１１０およびベゼル１３０の少なくとも一方に取り付けられる。
【００５５】
ハウジング１１０は、単一の部品から作られることができ、または上部および下部を含んでベゼル１３０が両方の部品に取り付けられていてもよい。
ベゼル１３０は、リアビュー要素１２０を囲むハウジング１１０の外側部分に形成されることができ、ベゼル１３０内に形成された内部空間と、１つまたは複数のライトアセンブリ２００の少なくとも１つと、ベゼル１３０の内部空間内に配置された１つまたは複数の電子手段とを含んでいてもよい。ベゼル１３０は、１つの一体部分として形成されていてもよく、または上部および下部を含む２つのセグメント、４つの側面を含む４つのセグメント１３０Ａ、１３０Ｂ、１３０Ｃ、１３０Ｄ、または任意の数のセグメントなどの複数のセグメント１３０Ａ、１３０Ｂ、１３０Ｃ、１３０Ｄから形成されていてもよい。
【００５６】
ベゼル１３０は、任意のタイプのガラスから形成または成形されることができる。ここで、ガラスとは、液体状態に向けて加熱されるとガラス転移を示す非結晶性のアモルファス固体の意味で使用されている。その軽量であるという理由によらず、コスト効率及び耐久性により、特に適しているのは高分子基材である。ベゼルは、標準の非点灯ベゼルと交換可能および取り外し可能であり、非点灯ベゼルは、取り外されたり、照明及び表示を提供するベゼルと交換されたりできる。非点灯ベゼルは、不透明、透明、光透過性、または半透明であってもよい。同様に、点灯ベゼルは不透明、透明、光透過性、または半透明の場合がある。
【００５７】
ベゼル１３０は、内面に少なくとも１つまたは複数のライトアセンブリ２００、１つまたは複数の電子手段、およびリアビュー装置１００の他の内部構造を収容する凹部を含むように成形されていてもよい。
【００５８】
ベゼル１３０は、着色された表面仕上げの透明またはコーティングされた表面を含むことができ、それまたはその下の空間を使用して、少なくとも１つの光電子機器、および内部に組み込まれたヒータまたはワイパなどの他の機能の少なくとも一部をリアビュー装置内に収容することができる。
【００５９】
ベゼル１３０は、ハウジング１１０に任意の方法で固定、接着、クリップ留め、または取り外し可能に取り付けられるように構成されていてもよい。
透明な材料または表面コーティングを使用して、リアビュー装置１００内の１つまたは複数のライトアセンブリ２００からの光を外部、例えば車両の運転手、またはリアビュー装置１００を見る他の人またはセンサに伝えてもよい。例えば、クロムベースのコーティングを含む透明なベゼル１３０を使用することができ、したがって、ベゼル１３０の下のライトアセンブリ２００を、点灯するまで外部の視認者から隠されることができる。
【００６０】
クロムベースのコーティングは、クロムとドーパント材料との合金とすることができ、ドーパント材料は六方最密遷移金属から選択され、合金は二次オメガ六方最密相と共存する一次体心立方相の結晶構造を有している。
【００６１】
多機能装置またはベゼル１３０は、１つのみのライトアセンブリ２００または複数のライトアセンブリ２００を含んでいてもよい。１つのライトアセンブリ２００または複数のライトアセンブリ２００は、ベゼル１３０の異なる位置に光を向けるように構成されることができ、ベゼル１３０の異なる位置に異なる光特性を提供して異なる光機能表示を提供することができる。これらの異なる特性には、光の色、光の強度、光のパルス長の少なくとも１つを含んでいてもよい。
【００６２】
コーティングは、様々な光の適用を妨げることがある。様々な要望に応じてライトを成形できるように、ベゼル表面の一部がコーティングから免れているか、コーティングを後で除去して特別な形状が形成されてもよい。レンズ２４０は、この部分または他の部分に直接成形するか、後で追加されることができる。これにより、例えば、コーティングが施されていない場合、またはベゼル１３０の下部からコーティングが除去されている場合に、会社のロゴを地面に投影することができる。
【００６３】
ベゼル１３０の異なる位置には、少なくとも、リアビュー要素１２０の上のベゼル１３０上の位置１３０Ａ、リアビュー要素１２０の下のベゼル１３０上の位置１３０Ｃ、車両に面するベゼル１３０上の位置１３０Ｂ、および車両に面していないベゼル１３０の位置１３０Ｄを含んでいてもい。各位置内で、単一のライトアセンブリ２００をベゼル１３０の内部空間内に配置することができる。例えば、第１の光サブアセンブリ２００は、リアビュー装置１２０上のベゼルの内部空間内に配置されることができ、第２の光アセンブリ２００は、リアビュー装置１２０下のベゼル１３０の内部空間内に配置されることができ、第３の光アセンブリ２００は、車両に面するベゼル１３０上の位置でのベゼル１３０の内部空間内に配置されることができ、第４のライトアセンブリ２００は、車両に面しない位置でベゼル１３０の内部空間内に配置されることができる。
【００６４】
代替的に、ベゼル１３０は多数の位置に細分化されて複数の異なる光機能を提供し、複数の異なる光サブアセンブリ２００はベゼルの内部空間の多数の位置に配置されることができる。
【００６５】
１つまたは複数のライトアセンブリ２００は、ＬＥＤライト、ライトテープ、印刷照明、光学ライトガイド、またはランプのうちの少なくとも１つを有する光源２３０を含んでいてもよい。
【００６６】
１つまたは複数のライトアセンブリ２００または電子手段は、プリント回路基板２２０を使用せずに、プラスチック部品またはベゼル１３０に直接配置されていてもよい。１つまたは複数の導体経路は、１つまたは複数のライトアセンブリの異なる部分と電子手段とを接続し、またリアビュー装置１００の内側と外側とにある他の電気システムにも接続されることができる。代替的に、プラスチック部品またはベゼル１３０は、導体経路、１つまたは複数のライトアセンブリ２００または電子手段の周りに成形されることができる。少なくとも１つの導体経路、電子手段、および１つまたは複数の光アセンブリ２００は、射出成形（ＭＩＤ）、導電性箔（ＩＭＬ）、およびレーザー直接構造化（ＬＤＳ）の１つまたは複数によってプラスチック部品またはベゼル１３０に直接的に適用されることができる。
【００６７】
１つまたは複数のライトアセンブリ２００は、ベゼル１３０の内部空間にクリップで留めることができる統合コネクタ２１０を有するＬＥＤホルダも含んでいてもよい。
１つまたは複数のライトアセンブリ２００はまた、少なくとも１つのワイヤを有する少なくとも１つの光源ユニット２３０、プリント回路基板なし、光源ユニットを支持して保持および接続の少なくとも一方に適した手段で設計されたハウジングユニット、及び環境からＬＥＤを保護および密封するための密封手段を含んでいてもよい。
【００６８】
１つまたは複数のライトアセンブリ２００は、ベゼル全体が一度に１つの色を有することができるように、複数の異なる色の光をベゼル１３０の表面全体に向けるように構成されることができ、ベゼルの異なるゾーンを同時に異なる色にすることができるように、ベゼルの異なるゾーンを複数の異なる色で照らすように構成されることができる。
【００６９】
一例では、ライトアセンブリは、プリント回路基板（ＰＣＢ）２２０、発光ダイオード（ＬＥＤ）２３０、および統合レンズ２４０を含んでいてもよい。
異なる実施形態の１つまたは複数のライトアセンブリ２００から生じる光は、方向インジケータ、死角インジケータ、アプローチライト、強い制動信号、緊急制動信号、ロゴライト、水たまりライト、ヒューマンマシンインターフェース、充電インジケーター状態、車両モード、スポーツモード、エコノミーモード、自動運転モード、スリープモード、車両ロック、車両盗難、警告信号、温度または天気インジケータ、信号機信号、および燃料状態を含む異なる位置で少なくとも１つまたは複数の照明機能表示を提供するために使用されることができる。
【００７０】
特定の例では、少なくとも一部の光は地面に向けたり、車両の外側にいる他の人やセンサの方向に向けて、情報を伝達したりすることができる。リアビュー装置は、ベゼルの内部空間内に配置された光拡散器をさらに含んでいてもよい。リアビュー装置１００のハウジング１１０、反射要素１２０、およびベゼル１３０は、多機能装置１００が外部環境から密閉されるように一体的に形成されていてもよい。
【００７１】
多機能リアビュー装置１００は、アクチュエータに機能的に接続されることができ、それにより、アクチュエータはハウジングの外側に配置される。これにより、アクチュエータは、リアビュー要素１２０だけでなく、ハウジング１１０を完全に含む多機能装置１００を移動させることができる。アクチュエータは、回転運動や並進運動など、１つまたは複数の異なる種類の運動を実行するように構成されることができる。
【００７２】
アクチュエータは、１つまたは複数の光アセンブリ２００の光出力を判断するように構成されることもできる。リアビュー装置１００は、車両に固定されるのに適した脚部を含み、これに対してベゼル１３０を有するハウジング１１０は可動である。
【００７３】
一例では、脚部は、ハウジング１１０のための少なくとも１つの球面座を提供する。
別の例では、ベゼル１３０は、１つまたは複数のライトアセンブリ２００および電子手段のうちの少なくとも１つとともにハウジング１１０に取り付けられている。
【００７４】
リアビュー装置１００は、車両の制御ユニットへの接続を含み、１つまたは複数のライトアセンブリ２００、リアビュー要素１２０、およびアクチュエータの少なくとも１つを制御することができる。
【００７５】
また、リアビュー装置１００は少なくとも１つのセンサを含んでいてもよい。センサの出力は、１つまたは複数のライトアセンブリ２００、反射要素１２０、アクチュエータ、またはヒータやワイパなどの他の機能およびシステムの少なくとも１つを制御するために使用できる。
【００７６】
リアビュー装置１００は、１つまたは複数のライトアセンブリ２００、リアビュー要素１２０、およびアクチュエータの少なくとも１つを制御するための車両の制御ユニットへの接続を含んでいてもよい。このセンサは、たとえばカメラであってもよい。
【００７７】
リアビュー装置１００は、ヒータまたはワイパなどの追加の機能およびシステムをさらに含んでいてもよい。電子手段は、１つまたは複数のライトアセンブリ２００、ディスプレイ要素１２０、アクチュエータ、センサ、カメラ、ヒータ、およびワイパのうちの１つ以上を制御および接続するように構成されることができる。電子的手段は、ベゼル１３０と共にユニットを形成することもできる。
【００７８】
図６は、１つまたは複数の照明要素６１０を含む集積フレキシブル回路６００の例を示す図である。
図６に示すように、外部ドアミラーに設けられた光および信号モジュールとセンサとは、通常、個々のモジュールアセンブリとして提供され、従来のワイヤハーネスを使用して個々の剛性ＰＣＢに接続されている。好ましい例では、リアビュー装置は、照明、センサ、および加熱の機能を含み、これらはすべて、ヒートシンクとして動作するガラス面などのリアビュー装置の表面に接着剤を使用して固定された１つのフレキシブルプリント回路／リボン回路６００に組み込まれている。フレキシブル回路６００は、ＬＥＤライトと電子部品とのすべての周辺ミラー機能と取り付け面へのシングルポイント電気接続とセルフドッキング接続とを提供する一方、ライトとセンサとを正しい位置に配置する柔軟性も提供する。したがって、これらの周辺電気機能は固定ガラスケースベゼルに統合されることができ、ガラスキャリアベゼルの回転アセンブリの動きを利用して、簡単な操作で取り外し、組み立て、または保守できる。
【００７９】
この例では、フレキシブル回路６００は、１つのコネクタ制御ユニット６２０と、１つまたは複数の照明要素６１０が直接的に取り付けられるフレキシブルヒータパッドまたはリボン回路６３０とを含んでいてもよい。
【００８０】
図７は、図６の集積フレキシブル回路を含むリアビュー装置の一例の斜視図を示す図である。
図７に示されるように、リアビュー装置７００は、集積フレキシブル回路６００を含んでいてもよい。図６を参照して既に説明したように、フレキシブル回路６００は、１つのコネクタ制御ユニット６２０と、１つまたは複数の照明要素６１０が直接的に取り付けられたフレキシブルヒータパッドまたはリボン回路６３０とを含んでいる。この例では、５つの照明ユニットが取り付けられ、別々の方向を向いており、このアプリケーション全体で説明するように、異なる色のライトを投影することができる。例えば、第１の光６１０ａは青色光を投影し、第２および第３の光６１０ｂ、６１０ｃは赤色光を投影し、第４の光６１０ｄは緑色光を投影し、第５の光６１０ｅは黄色光を投影し、すべての光は色を変化させることが可能であるとともに異なる機能に使用されることが可能である。１つのコネクタ制御ユニット６２０は、すべての照明要素６１０ａ〜６１０ｅおよび加熱パッドおよび温度センサ６４０を含むベゼル上のすべての機能を制御することができる。コネクタ制御ユニット６２０は、コネクタ７１０を備えたハーネスを受け入れるように構成されてもよく、好ましくは、１つの制御ユニット６２０が２つ以上提供されていてもよい。
【００８１】
したがって、リアビュー装置７００のケースベゼル７２０は、照明および他のモジュールが統合された単一部品の固定ガラスベゼルアセンブリの一部として提供されていてもよい。ベゼル７２０は、内蔵サイドターンインジケータモジュールを形成する受光部７４０を含むことができ、この場合、第５の照明６１０ｅによって投射される光を受光する。ガラス反射器７５０はベゼル７２０の反対側に設けられることができるが、説明したベゼル７２０およびフレキシブル回路６００はカメラ監視システム（ＣＭＳ）での使用に等しく適用可能であることを理解されたい。
【００８２】
一体型固定ガラスベゼルアセンブリ７００に集積フレキシブル回路／リボン６００を提供する場合、すべての周辺の電気ミラー機能を１つの簡単に修理可能な部品に統合して、顧客のアップグレードを容易にし、サービスコストを削減する１つのアセンブリが提供される。可撓性リボン６００に固定された電子部品は、ミラーガラスの霜取りヒータ要素を提供してもよく、ミラーガラスをヒートシンクとして利用していてもよい。フレキシブル回路６００に一体化された一点による電気コネクタ６２０は、車両への電気接続を提供し、回転ベゼル概念と組み合わせて使用される場合、従来の電気コネクタまたはセルフドッキングコネクタを使用して接続されることができる。これにより、パッケージングスペースが削減され、複数の構造の繰り返し可能な場所／ルーティングが提供される。
【００８３】
図８は、別の集積フレキシブル回路を含むリアビュー装置の別の例の斜視図を示す図である。
図７のリアビュー装置７００と同様に、図８のリアビュー装置９００は、統合照明要素８１０、電気コネクタ８２０、および温度センサ８４０を有するフレキシブル回路８００を含んでいる。フレキシブル回路８００は、フレキシブル回路８００の本体への付属物として形成された、取り付けられたヒータパッド８３０を含んでもよい。例えば、より狭いネック部分によってフレキシブル回路８００の本体に取り付けられている。これにより、ヒータパッド８３０は、ベゼル９２０に形成されたスロット９６０に受け入れられ、スロット９６０の周囲の曲がり部およびガラスリフレクタ９５０の後ろなどの理想的な位置にヒータパッド８３０を配置されることができる。また、フレキシブル回路８００は、ｂｌｕｅｔｏｏｔｈまたはＷｉ−Ｆｉモジュールなどの通信モジュール８５０、および統合アンテナ８６０も含んでいてもよい。
【００８４】
リアビュー装置７００と同様に、リアビュー装置９００は、コネクタ９１０を有するハーネスを受けるように構成されていてもよい。リアビュー装置９００のケースベゼル９２０は、統合された照明および他のモジュールを有する単一部品の固定ガラスベゼルアセンブリの一部として提供されていてもよい。ベゼル９２０は、内蔵サイドターンインジケータモジュールを形成する受光部９４０を含むことができ、この場合、第５の照明８１０により投射される光を受信する。ガラス反射器９５０をベゼル９２０の反対側に設けることができるが、記載されたベゼル９２０およびフレキシブル回路８００はカメラ監視システム（ＣＭＳ）での使用に等しく適用可能であることを理解されたい。
【００８５】
本出願はまた、すべての目的のために参照により全体が本明細書に組み込まれる米国特許出願第１５／２５６，５４０号に記載されているように、車両用の外部リアビュー装置の、ライトアセンブリ、リアビュー装置、およびライトアセンブリ用のライトモジュールに関する。
【００８６】
外部リアビュー装置のライトアセンブリ用のライトモジュールは、リアビュー装置、特にライトアセンブリ、のプリント回路基板との電気接続に適した少なくとも１本のワイヤを備えた光源ユニットを含んでいてもよい。ライトモジュールは、光源ユニットを支持するハウジングユニットをさらに含み、リアビュー装置の少なくとも一部、特にハウジング部分への取り付けに適した接続および／または保持手段が設けられている。ライトモジュールは、ライトモジュールと少なくとも１つの部品との間の防水および防塵接続に適した封止手段をさらに含んでいる。
【００８７】
光源ユニットは、ワイヤと電気的に接続された光電子部品、好ましくは光電子部品を埋め込む透明および／または半透明の樹脂によって提供される放射面、およびハウジングユニットに含まれたまたはハウジングユニットに取り付けられた光源ハウジングを含むことが好ましい。
【００８８】
さらに、好ましい例は、ハウジングユニットは、光源ハウジングおよび／または封止手段とともに、例えば熱エンボス加工または２Ｋ射出成形によって形成され得ることを特徴としてもよい。
【００８９】
ハウジングユニットは、各ワイヤ用の貫通孔が形成されてもよく、および／またはハウジングユニットは、光源ユニット用の受容構造が形成されてもよく、および／またはハウジングユニットは、プラグまたはスナップ接続などの接続および／または保持手段が形成されていてもよい。
【００９０】
接続および／または保持手段は、少なくとも２つのスナップを含んでいてもよく、各スナップは停止要素が設けられている。別の例では、１つのスナップが使用されていてもよく、別の例では３つのスナップが使用されていてもよく、別の例では４つのスナップが使用されていてもよく、任意の数のスナップが使用されていてもよい。
【００９１】
さらに、封止手段は、ハウジングユニットの周囲に配置されてもよく、または光源ユニットを支持する領域にハウジングユニットの周囲を形成していてもよい。追加の例は、１つまたは複数の光源ユニットがハウジングユニットによって支持されてもよく、および／または各光源ユニットが１つまたは複数のＬＥＤを備えたＬＥＤユニットを含むことを特徴としていてもよい。別の例では、少なくとも２つの光源ユニットが使用されている。別の例では、少なくとも３つの光源ユニットが使用され、任意の数の光源ユニットが使用されていてもよい。
【００９２】
また、外部リアビュー装置のライトアセンブリは、サイドターンインジケータ、死角検出、ロゴランプ、ドアハンドルライト、および／または本明細書に記載された少なくとも１つのライトモジュールを有するアプローチライトを含んでいてもよい。
【００９３】
ライトアセンブリは、１つまたは複数のワイヤがはんだ付けされ、はんだ付けパッドパターンを提供する、ライトモジュールから離れた少なくとも１つのプリント回路基板を含んでいてもよい。
【００９４】
はんだ付けパッドパターンは、各ライトモジュールに対して少なくとも１つのパッド、好ましくは２つのパッドを含んでいてもよく、各パッドは３ｍｍ２以上５ｍｍ２以下の面積を有し、および／または２つのパッドは少なくとも０．５ｍｍの距離または０．５ｍｍの長さの延長、および／または０．５ｍｍの幅、および／またはパッドの外側に耐はんだ付け剤がプリント回路基板上に設けられている。
【００９５】
電子回路基板ユニットは各ライトモジュールおよび電源に接続されていてもよく、および／または１つの電子回路基板ユニットは２つ以上の光源ユニットに接続されていてもよく、特に光源ユニットは直列または並列に接続されている。
【００９６】
電子回路基板ユニットは、電源に直接または間接的に接続するための少なくとも１つのドライバ回路と、好ましくは複数のライトモジュールのすべてのライトモジュール用の１つのプリント回路基板、または各ライトモジュールのプリント回路基板である、少なくとも１つのプリント回路基板とを含んでいてもよい。
【００９７】
プリント回路基板および／またはドライバ回路を電子的および物理的に接続するための少なくとも１つのプラグ接続が提供されていてもよい。
また、本発明は、本明細書に記載の少なくとも１つのライトモジュールおよび／または本明細書に記載の少なくとも１つのライトアセンブリを含む、車両用の外部リアビュー装置も提供していてもよい。
【００９８】
ライトモジュールの放射面は、ライトモジュールがその接続および／または保持手段を介して取り付けられている少なくとも１つのハウジング部分の外面と同一平面であってもよい。別の例では、ライトモジュールの放射面は、ライトモジュールが取り付けられている少なくとも１つのハウジング部分の外面と上に重なり合うか、または下に重なり合い、多くの異なる上の重なり合い、同一平面、または下の重なり合いの配置が使用されていてもよい。
【００９９】
ライトモジュールは、光源ユニット、ハウジングユニット、および封止手段の形態の３つの構成要素を使用することにより、複数の利点を提供されていてもよい。最初に、ＬＥＤユニットであり得る光源ユニットは、プリント回路基板を有していなくてもよく、その結果、生産コストを削減する無はんだ光源ホルダが提供されることに留意されたい。また、ハウジングユニットは、光源ユニットを保持または支持するだけでなく、リアビュー装置へのライトモジュールの取り付けを容易にするための接続および／または保持手段が設けられており、これも製造コストを削減する。さらに、封止手段が防水および防塵のために設けられているという事実により、外部リアビュー装置内のライトモジュールの寿命が延長される。
【０１００】
コストをさらに節約するために、ハウジングユニットを光源ユニットの光源ハウジングおよび／または２Ｋ射出成形プロセスなどの封止手段とともに形成することが有利な場合がある。
【０１０１】
ライトモジュールは、それ自身を持たない場合があるため、リモートプリント回路基板に接続されることができ、外部リアビュー装置内の取り付け位置に関して高い柔軟性が提供され得る。したがって、本明細書に記載のライトモジュールを含む複数の電子消費者ユニットに接続された単一のプリント回路基板を含むライトアセンブリは、部品の量が少ない非常に単純なシステムアーキテクチャを有し得る。
【０１０２】
ライトアセンブリのプリント回路基板は、特殊なはんだパッドパターンにより、熱放散が改善され、性能が向上する場合がある。例えば、本発明の１つのライトモジュールは、２つのパッド間の最小距離は少なくとも０．５ｍｍである２本のワイヤで前記パターンの２つのパッドに接続され、および／または各パッドに少なくとも０．５ｍｍである少なくとも１つの寸法の延長部を有していてもよい。さらに、プリント回路基板は、はんだ付けパッドの外側の耐はんだ付け剤で覆われていてもよい。
【０１０３】
ライトモジュールに複数の光源ユニットが並列に接続されている場合、はんだ付けパッドパターンに接続されるワイヤの量は、各光源ユニットを個別に配置する場合に比べて削減されていてもよい。
【０１０４】
本発明の外部リアビュー装置は、特にサイドターンインジケータ、死角検出、ロゴランプ、ドアハンドルライトおよび／またはアプローチライトを提供するための１つまたは複数のライトモジュールを含んでいてもよい。これらの各機能はライトモジュールによって実現でき、すべてのライトモジュールがライトモジュールから離れて配置された単一の回路基板に接続され、外部リアビュー装置内のライトモジュールの配置に関して高い柔軟性を提供される。
【０１０５】
各ライトモジュールは、封止手段が備えられており、長い寿命を保証するために必要な、水やほこりが外部リアビュー装置の内部に侵入することはほとんどない。
本出願はまた、あらゆる目的のために、その全体が参照により本書に組み込まれる、米国特許出願第１５／２５６，５３２号に記載されているように、自動車のリアビュー装置で使用されるように構成された電子装置、およびそのような電子装置を含むリアビュー装置に関する。
【０１０６】
自動車用のリアビュー装置で使用するように構成された自動車用の改良されたリアビュー装置は、少なくとも１つの底部と底部に配置されたまたは配置可能なカバー部とを有する少なくとも１つのハウジング装置を含んでおり、結合された状態で、保持ユニットの少なくとも１つの第１の保持手段を有する、少なくともほぼ完全に閉じられた空洞の範囲を定め、これを介してハウジング装置はリアビュー装置の中または上に固定されることができるまたは固定されている。少なくとも１つの導体ユニットと導体ユニットに接続された少なくとも１つの接触手段とを含む少なくとも１つの電子モジュールであって、空洞に向けられた底部および／またはカバー部の表面に、少なくとも１つのキャリアおよびキャリアに直接的に適用された少なくとも１つの導体経路有する導体ユニットが配置されている。少なくとも１つの突出した接触部によりカバー部を通って延在する、および／または底部を通って延在する接触手段は、外部からアクセス可能である。少なくとも１つの導体ユニットの少なくとも１つのキャリアは、空洞に隣接し、空洞に向かって回転する底部および／またはカバー部の機能面によって少なくとも部分的に形成され、保持ユニットの少なくとも１つの第１の保持手段を有するカバー部および／または底部は、共通の構成要素を形成する。
【０１０７】
電子デバイスの追加の好ましい例も記載されている。
導体ユニットの少なくとも１つのキャリアは、底部および／またはカバー部の機能面によって少なくとも部分的に形成されており、電子装置は部品が少なく、コンパクトに設計されることができる。これにより、組み立て作業も軽減される。
【０１０８】
導体経路とは別に、導体ユニットは、集積回路（ＩＣ）、コンデンサ、抵抗器などの電子部品を含んでいてもよい。これらは、キャリア、特に底部および／またはカバー部の機能面に配置されることもできる。
【０１０９】
導体ユニットは、別個の構成を有することなく、ボードのようなデザインにすることができる。そのような場合、導体ユニットは完全に機能面で形成されることができる。導体ユニットの部品は、導体ユニットが全体として別個の部品によって形成されることなく、導体ユニットの部品が別個の部品として機能面に取り付け可能であると考えられる。
【０１１０】
さらなる開発において、少なくとも１つのキャリアのうちの少なくとも１つのキャリアは、底部および／またはカバー部の機能面によって完全に形成されていてもよい。そのような場合、底部またはカバー部の機能面が以前に別個のコンポーネントとして形成されたキャリアの機能を引き継ぐときは、別個のコンポーネントとして形成された電子モジュールのキャリアは完全に省くことができる。
【０１１１】
キャリア、たとえば機能面に適用された導体経路は、本質的に、別個のコンポーネントとして形成された導体ユニットによって実現されることができる。ただし、射出成形（Ｍｏｌｄｅｄ  Ｉｎｔｅｒｃｏｎｎｅｃｔ  Ｄｅｖｉｃｅｓ（ＭＩＤ））によって、導電性フォイル（Ｉｎｍｏｌｄ−Ｌａｂｅｌｉｎｇ（ＩＭＬ））、および／または機能面などに対してキャリアに直接的に行われるレーザー直接構造化（ＬＤＳ）によって、導体経路がキャリアに直接的に適用される場合、電子装置は、コンパクトに設計されることができる。
【０１１２】
さらに、電子モジュールが複数の導体ユニットを含む場合、および／または電子モジュールがリアビュー装置の複数の電気負荷のための共通制御ユニットを形成する場合、ハウジングデバイスおよびその中に配置される電子モジュールの数を減らすことができる。各電気負荷は、少なくとも１つの導体ユニットに機能的に割り当てられるか、または割り当てられ、特に少なくとも１つの主導体ユニットは、電気負荷に機能的に割り当てられた導体ユニットが個別および／または共同で制御可能なドライバ回路を含んでいる。
【０１１３】
これにより、以前は個別に動作していた電子モジュールを、共通の電子モジュール内で互いに独立して組み合わせることができる。このようにして、許容されるハウジング装置の数も、共通の電子モジュールが配置される単一のハウジング装置に減らすことができる。これにより、リアビュー装置は、電子デバイスを収容する空間が少なくなるため、より少ない構成でコンパクトなデザインを実現できる。
【０１１４】
少なくとも１つの保持ユニットは、少なくとも１つの第１の保持手段を含むことができ、これは、カバー部および／または底部と共に、射出成形部品などの共通の構成要素を形成する。
【０１１５】
カバー部または底部を有する保持ユニットの第１の保持手段が共通の部品、特に射出成形部品を形成する場合、電子装置はより少ない部品で設計されることができ、組み立ての容易さがさらに向上する。
【０１１６】
ハウジング装置が保持ユニットによって、特に第１の保持手段によって、着脱可能に、特に後部グリップによってリアビュー装置の中または上に、固定できるまたは固定されている場合、および／または、第１の保持手段が、カバー部または底部上の雄ねじ部、クリップまたは差込み継手などのラッチ要素、および／またはねじまたはボルト要素を含む場合、さらに有利であることが判明している。
【０１１７】
上述の例示的な実施形態のさらなる発展において、保持ユニットが、リアビュー装置内またはリアビュー装置上に固定され、特にリアビュー装置の保持プレートに固定された、ラッチ要素として設計された第１の保持手段と相互作用する後部把持受容手段および／またはねじまたはボルト要素として設計された第１の保持手段の収容部を含む、雄ねじ付きセクションとして設計された第１の保持手段と相互作用可能な、雌ねじを含む第２の保持手段を含む場合に有利であることが判明した。
【０１１８】
電子デバイスを製造する場合、電子モジュールの個々のコンポーネントは、カバー部および／または底部の機能面に機械的に配置されている。ここで、電子モジュールの構成を組み立てるために使用されるツールは、カバー部および／または底部の機能面の平面に平行に移動しており、この平面は、ｘおよびｙ方向のベクトルによって広がっており、この平面に対して横方向に個別の構成を組み合わせる場合に、ツールはｚ方向に沿って移動する。ｚ方向の動きを低く保つために、第１の保持手段が、カバー部または底部の機能面の反対側のカバー部または底部の端部に第１の端部で固定されると有利であることが判明し、第２の端部が機能面の方向に延びるように配置され、第１の保持手段は機能面の平面に重なることなく延びるように設計され、第２の端部は機能面の平面から距離を有している。
【０１１９】
例えば、第１の保持手段はクリップとして設計されていてもよい。そのような場合、クリップとして設計された保持手段は、機能面を超えて突出することなくｚ方向に延びていてもよい。これは、機能面を超えて突出する保持手段に必要となる、組み立てに使用されるツールの広い組み立て経路が、保持手段を損傷しないように防止されることができることを意味する。
【０１２０】
第１の保持手段が、例えばハウジング装置のカバー部または底部に雄ねじ部を含み、第２の保持手段が雌ねじ部を含む場合、電子装置はツールなしでリアビュー装置に簡単にしっかりとねじ込まれることができる。
【０１２１】
第１の保持手段がラッチ要素を含み、第２の保持手段がラッチ手段と相互作用する受け手段を含む場合、電子装置は、リアビュー装置に電子装置をクリップするだけで組み立てられることができる。さらに、そのような場合、電子装置は工具なしでリアビュー装置に取り付けられるか、クリップ接続を解除することにより工具なしで取り外されるので、電子装置のメンテナンスも簡素化される。
【０１２２】
少なくとも１つの接触手段の少なくとも１つの突起と外部からアクセス可能な接触部が少なくとも１つのピン、特に複数のピンとを含み、それを介して電子モジュールが少なくとも１つの電源および／または少なくとも１つの電気負荷で接続可能であるまたは接続されている場合、電子装置は電源に接続されていてもよい。
【０１２３】
さらに、電子デバイスの一例では、電子デバイスは、ハウジング装置の空洞に配置され、電気エネルギを保存および放出するために電子モジュールに割り当てられた機能の少なくとも１つのエネルギ貯蓄部を含んでいてもよい。
【０１２４】
そのような場合、例えば警告灯機能を少なくとも限られた時間維持するために、例えばピークのバランスを取るため、または電源障害が発生した場合に蓄積したエネルギの利用を可能に保つために、電源とは無関係なエネルギ蓄積部を保持することが可能である。
【０１２５】
カバー部の底部への接合を簡単にし、カバー部を底部に接合する際に傾く危険性を減らすために、カバー部と底部とは、接合されるときに、それらは互いに滑り込むことができる、円筒形の部分を含んでもよい。それらは、同心円状または伸縮式にスライドでき、カバー部は、円筒部に対して放射状に突出し、カバー部と底部とが接合されて端部ストッパを形成するときに、カバー部の外面の周りに完全に広がる、エッジセクションを含むことができる。
【０１２６】
丸い形状により、保持ユニットのクランプ力の均一な分布が達成され、均一で丸い接触領域の提供を通じて、良好なシール面が利用可能になる。
さらなる開発において、カバー部および／または底部は、少なくともカバー部が円筒部に隣接する広範なベースプレートを含み、円筒部の軸に対して横方向または傾斜して延びる、ポット状の設計を有していてもよく、底部に向かって回転する側に機能面が配置されており、底部から離れて円筒面に囲まれた側に接触手段の接触部が配置されている。
【０１２７】
底部とカバー部とがそれぞれ円筒部を有して設計されているため、それらを接合する際に同心円状および伸縮自在に互いに対して滑り込ませることができるため、均一な接触領域が利用可能になっている。このようにして、底部とカバー部との間に存在するギャップを小さく保つことができる。電子装置は、カバー部と底部との間に、特に底部とカバー部のエッジセクションとの間に配置された少なくとも１つのシーラントを含んでいてもよく、これにより、ハウジング装置の空洞がカバー部と底部との間に存在する隙間に関してシールされ得る。
【０１２８】
このようにして、空洞への湿気や汚れの侵入が防止され、これにより電子モジュールの汚染または損傷の危険性が低減される。
電子装置は、ハウジング装置の底部が構成要素のワンピース要素、特にリアビュー装置の保持プレートなどのワンピース射出成形部品を含む場合、メンテナンス目的で特に簡単に組み立ておよび分解することができる。このような場合、電子デバイスの個々のコンポーネントを事前に組み立てて、最終組み立てのために、電子モジュール、保持ユニットの最初の保持手段、およびシーラントが固定されているカバー部のみを、底部にねじ込まれるまたは接着される。このようにして、以前の複数のハウジングデバイスを有する以前の複数の個々の電子モジュールは、それぞれ複数の別個のコンポーネントによって形成され、単一の動きで組み立ておよび分解されることができる。
【０１２９】
さらに、底部、カバー部、第１の保持手段、および／または第２の保持手段がプラスチックを含む場合、電子装置は、軽量で経済的に製造されることができる。
電子装置は、特にリアビュー装置の周辺照明用のライトモジュールとして設計されることができる。
【０１３０】
リアビュー装置は、本明細書で説明される少なくとも１つの電子デバイスを含んでいてもよい。リアビュー装置は、少なくとも１つの反射要素および／または少なくとも１つのカメラを含んでいてもよい。電子機器とリアビュー機器とは、多くの点で有利であると判断される。
【０１３１】
底部および／またはカバー部は、導体ユニットのキャリアを少なくとも部分的に形成する、空洞に向けられた機能面を含むため、電子デバイスは、構成の数を減らして設計されることができる。
【０１３２】
ハウジング装置には、共通の電子モジュールを形成する複数の導体ユニットを配置できるため、以前の複数の電子装置は、共通のハウジング装置などの共通の電子装置に配置されることができる。このようにして、リアビュー装置内で許容される必要のある空間が削減される。
【０１３３】
また、米国特許出願第１５／０００，７５４号に記載されているようにコンパクトに設計されることができるヘッドセクションおよびリアビュー装置も記載されており、これはあらゆる目的のためにその全体が参照により本明細書に組み込まれる。
【０１３４】
この目的は、ハウジングセクションおよび蓋セクションが少なくともほぼ全周にわたって外側に向かって中空領域をしっかりと密封することにより、ヘッドセクションによって達成される。
【０１３５】
中空領域は、少なくともほぼ全周にわたって外側に向かって囲まれているため、中空領域は汚れや湿気の侵入から保護されている。これにより、少なくとも１つの電子ユニットを自身がシールを有することなく中空領域に配置されることができる。これにより、ヘッドセクションのコンパクトな設計を作成することができる。
【０１３６】
一般に、電子ユニットにそれ自体のハウジングを提供することは実現可能であり、それにより、ハウジングセクションと蓋セクションとの間の中空領域に配置されることができる。しかしながら、少なくとも１つの電子ユニットを配置することができる場合、または中空領域にハウジングなしで配置される場合に有利であることが示されている。
【０１３７】
ハウジングセクションと蓋セクションとは、一般に、必要な方法で互いに接続されることができる。本発明によるヘッドセクションの一実施形態では、ハウジングセクションと蓋セクションとは、互いに対して重なり合ってアンダーカットを形成するように、結合部で互いに対してロック可能またはロックされていることが提供される。蓋セクションとハウジングセクションとがアンダーカットを形成する場合、２つの構成の固定接続を簡単に実現できる。特に、このような場合、ハウジングセクションと蓋セクションとは、ツールを使用せずに、例えばクリップによって、互いに対してロックされることができる。
【０１３８】
一般に、セクションでのみ結合部を作成することが可能である。好ましくは、結合部は、周囲を囲むように設計される。
リアビュー手段をハウジングセクションに対して相対的に可動にすることは実現可能である。これは、例えば、蓋セクションおよび／またはハウジングセクションが、プラスチック膜などの可撓性を有し、柔軟な材料から少なくとも部分的に作成される場合に当てはまる。しかしながら、リアビュー手段は、ハウジングセクションに対してロックされていてもよい。このような場合、ヘッドセクションを調整することにより、リアビュー手段が設定されてもよい。
【０１３９】
リアビュー手段は、蓋セクションから分離できる、または分離された部品を含んでいてもよい。そのような場合、蓋セクションは、例えば蓋セクションに反射コーティングをスプレーすることにより、例えば接着またはロックすることができる。しかしながら、本発明によるヘッドセクションの一実施形態では、蓋セクションおよびリアビュー手段が単一部品構成を含むことが提供される。
【０１４０】
これにより、ヘッドセクションの部品点数を削減することを可能にする。
一般に、蓋セクションをディスク状に作成することは可能である。しかしながら、蓋セクションは一種のクランプとして設計されることができ、特にリアビュー手段を含む平坦部と、平坦部に対して横方向または斜めに延びる少なくとも１つのエッジセクションを含んでいる。そのような場合、蓋セクションは、少なくとも１つのエッジセクションを有するクランプのようにハウジングセクションにロックされることができる。ここで、エッジセクションは、内側からハウジングセクションに隣接するか、外側からハウジングセクションを掴むことができる。
【０１４１】
ハウジングセクションと蓋セクションとは、必要とされるいかなる材料からも作成されることができる。蓋セクションおよびリアビュー手段が複合単一部品構成を含む場合、すなわち、リアビュー手段が蓋セクションの一部である場合、蓋セクションが複数部品構成を含む場合に有利であり、平坦部は、第１の蓋部分、特にプラスチック部分を含み、エッジ部分は第２の蓋部分、特にプラスチック部分を含んでいることが示されている。
【０１４２】
一般に、複数部分による構成にデュアルパーツのプラスチックセクションを含めることは可能である。ただし、蓋セクションにいくつかの機能がある場合は、さらにプラスチック部品を設けることができる。
【０１４３】
エッジセクションは、平坦部分などの別のプラスチック部品を含んでいてもよいという事実により、エッジセクションは、しっかり密封されたシールを形成するように設計されることができる。電子ユニットは、例えば照明ユニットを含んでいてもよい。ランプによって生成されたヘッドセクションからの光は、ライトウィンドウを外向きに透過することができる。そのような場合、電子ユニットは、自動車のすぐ周囲の領域に対して繰り返し点滅するライトまたは照明を含んでいてもよい。
【０１４４】
一態様では、ハウジングセクションは、中空領域に直接的に配置され、特に本質的に不透明および／または非半透明である着色された第１のハウジング部分、特にプラスチック部分を含み、第１のハウジング部分は、光窓の領域に開口部を含むものが提供される。第１のハウジング構成は不透明で半透明なので、魅力的な外観を得ることができる。第１のハウジング部分に開口部が設けられているため、電子ユニットからの光は外側に透過することができる。
【０１４５】
後者の発明の実施形態をさらに発展させて、汚れまたは湿気による浸透を防ぐために、光ファイバおよび／または光ディスクなどの光学要素を、ハウジングセクションの第１のハウジング部分の開口部内および／または開口部上に配置されることができ、ハウジングシールは、ハウジングセクションの第１のハウジング部分と光学要素との間に配置することができるか、または配置されているものが提供される。光学要素とハウジングセクションの開口部との間にハウジングシールが設けられているため、中空領域は外側に向かってしっかりとシールされている。その結果、電子ユニットに別のハウジングは必要ない。
【０１４６】
ハウジングシールの提供に対する補足または代替として、第２のハウジング部分、特にプラスチック部分が、第１のハウジング部分の表面上に配置された場合に有利であり、これは、中空領域から離れた方向を向いており、少なくとも光窓の領域、特に光ファイバおよび／または光ディスクなどの光学要素として設計された光窓の領域において本質的に半透明および／または透明であることが示されている。
【０１４７】
第２のハウジング部分は、特に第１のハウジング部分に設けられた開口を外側に向かって覆う第１のハウジング部分に隣接しているため、ハウジングシールは不要である。第２のハウジング部分は半透明および／または透明であるため、照明ユニットとして設計された電子ユニットからの光は、ヘッドセクションの中空領域から外側に透過することができる。
【０１４８】
リアビュー手段は、反射手段および／またはスクリーン、特にＬＥＤまたはＬＣＤスクリーンなどの表示手段を含んでいてもよい。表示手段がスクリーンを含む場合、スクリーンは蓋セクションの平坦部分に配置されることができる。さらに、少なくともＬＥＤまたはＬＣＤスクリーンが配置される部分の蓋セクションを透明および／または半透明になるように配置し、スクリーンを中空領域に向かって面する蓋セクションの平坦部分の横に配置することが実行可能である。
【０１４９】
電子ユニットは、リアビュー装置の設置機能を含むことができる。これにより、リアビュー装置を簡単に設置することを可能にする。設置設備は、中空領域に向かって面する蓋セクションの平坦部分の上面に配置されることができる。
【０１５０】
設置設備は、リアビュー手段に対してロック可能またはロックされた少なくとも１つの照明手段を有する設置ユニットを含むことができ、それによって、自動車の運転者および／またはコントロールユニットによる指定された操作位置で、少なくともほぼ単独で知覚可能な指向可能または指向された光線を発生させることができる。照明手段は、コイル状の電球、ＬＥＤまたはレーザーを含んでいてもよい。
【０１５１】
自動車の運転者および／または制御ユニットによって、指定された操作位置で少なくともほぼ単独で光ビームを検出できるという事実により、リアビュー手段は、規則に従った位置に容易に調整されることができる。
【０１５２】
光が出ることを可能にするために、ハウジングセクションおよび／または蓋セクション、特にエッジセクションは、照明手段によって発せられた光ビームが少なくともほとんど妨げられることなく外向きに透過できる透明および／または半透明の領域を含んでもよい。
【０１５３】
これにより、照明手段によって発せられた光は、リアビュー装置の内側から外向きに透過し、外側から知覚できるようになり、ハウジングの中空領域では、同時に環境の影響から保護される。
【０１５４】
透明および／または半透明の領域は、一般に必要な任意の方法で設計されることができる。透明および／または半透明領域は、特に全体に凹部、および／またはガラス、特にスモークガラス、またはプラスチックなどの半透明および／または透明材料を含んでいてもよい。
【０１５５】
一般に、照明手段から発せられた光ビームは、自動車の運転者および／または制御ユニットによって指定された操作位置でほぼ単独で知覚できるように十分に束ねられることが実現可能である。さらに、設置ユニットは、照明手段によって機能的に割り当て可能であるか、または照明手段に割り当てられた少なくとも１つの光学要素を含むことができ、照明手段によって放射される光ビームは少なくとも束ねられることができる。
【０１５６】
さらに、目的は、少なくとも１つのヘッドセクション、特に上述の特徴の少なくとも１つを有する自動車用の内部または外部ミラーなどのリアビュー装置によって達成される。
最後に、目的は、上述の特徴の少なくとも１つおよび／または少なくとも１つのヘッド部、特に上述の特徴の少なくとも１つを有する、少なくとも１つのリアビュー装置を有する自動車によって達成される。
【０１５７】
蓋セクションおよびハウジングセクションは、ほぼ完全に密閉するように中空領域を取り囲んでいるため、ハウジングを必要としない電子装置を中空領域に設けられることができる。その結果、ヘッドセクションとリアビュー装置との設計をコンパクトにすることができる。
【０１５８】
本発明はまた、米国特許出願第１５／１２４，３１０号に記載され、あらゆる目的のためにその全体が参照により本明細書に組み込まれる装飾コーティングでコーティングされたプラスチック基材を提供し、装飾コーティングは、スペクトル制御システムおよび応力制御システムを含み、スペクトル制御システムは複数の層であり、追加的に保護層を含み、応力制御システムはスペクトル制御システムと基材との間の少なくとも単一の層である。
【０１５９】
スペクトル制御システムの複数の層は、透明層と交互の吸収層であってもよく、スペクトル制御システムの光学的厚さは、装飾コーティングが所望の光学効果を達成するように選択され、応力制御システムの少なくとも１つの層は、追加的な保護層の非存在下で測定した場合に、装飾コーティングの全体的な残留応力が圧縮性となるような大きさの圧縮応力を有している。
【０１６０】
以下の説明を理解するために、「所望の光学効果」という語句が意味することと、その後に装飾コーティングをスペクトル的に調整して所望の光学効果を有するコーティングされた基材を提供する方法により所望の光学効果の決定の影響とを理解することが重要である。
【０１６１】
所望の光学効果は、本発明によるコーティングされた基材を含む製品（正面から見た場合）の表面または表面の一部の所望の外観を有する。所望の光学効果は、装飾コーティング、プラスチック基材、およびバックライトの存在の有無の複合影響を考慮して、所望の透過色、所望の鏡面反射色、および所望の拡散反射色の組み合わせで構成されている。この点で、プラスチック基材は、基材自体が色付けされているか透明であるか、コーティングされていない基材にかすんだ外観を与えるために埋め込まれた粒子を含んでいるか、または「ブラシをかけられた金属」の外観を提供するために採用され得る質感を有するその（コーティングされていない）面の一方または両方を持つ可能性があるため、考慮する必要がある。これらの特性はすべて最終製品の全体的な外観に寄与するが、所望の光学効果の達成を可能にするために本発明で調整可能な、装飾コーティング、具体的にはスペクトル制御システムであることを理解されたい。
【０１６２】
所望の透過色、所望の鏡面反射色、および所望の拡散反射色（ｃｐ；ｐｒ）の決定に関して、本明細書を通して「色」への参照は、１９７６  ＣＩＥ  Ｌ＊ａ＊ｂ＊空間（またはＣＩＥＬＡＢ）カラーモデルに準拠した測定されたＬ＊、ａ＊、及びｂ＊によって定義される色の参照であり、これは、キューブ形式で編成されたほぼ均一なカラースケールである。直交ａ＊およびｂ＊色軸では、正のａ＊値は赤、負のａ＊値は緑、正のｂ＊値は黄色、負のｂ＊値は青であり、明度（またはグレースケール）の垂直スケールＬ＊は、０（黒）から１００（白）の範囲であり、３つのポイントで合計色Ｅを配置することを可能にしている。色の彩度（Ｃ＊）は（ａ＊．ｓｕｐ．２＋ｂ＊．ｓｕｐ．２）として定義され、明度に関係なく色の大きさを定量化するために使用される。
【０１６３】
また、「透過」色および「反射」色への言及は、物体を透過した後（「透過色」）または物体の表面で反射した後（「反射色」）の光の色に言及している。さらに、反射色に関して、「鏡面反射」は、物体の表面からの鏡のような光の反射を指し、単一の入射方向からの光は単一の出射方向に反射されるが、「拡散反射」はもちろん、入射光が広範囲の方向に反射されることに言及している。
【０１６４】
したがって、スペクトル制御システムは、コーティングされた基材に対して所望の光学効果が得られるように、スペクトルの反射及び透過を修正するために理想的に使用される。特に、スペクトル制御システムの光学的厚さは、装飾コーティングが所望の光学的効果を達成するように選択される。一形態では、スペクトル透過の大きさは、主に、スペクトル制御システム内の吸収層の総光学的厚さによって制御される。しかしながら、反射色及び透過色の両方は、スペクトル制御システム内の吸収層と透明層との間の干渉効果によって制御される。必要に応じて吸収層及び透明層の両方を含むスペクトル制御システムのすべての層の光学的厚さを制御することにより、この干渉効果は「調整」されて、所望の反射色および透過色を得ることができる。
【０１６５】
好ましい形態において、光学的厚さは、所望の透過を達成するために最初に選択され、これは、吸収層の組み合わされた光学的厚さによって制御される。
この目標を確立した後、透明層の光学的厚さ、および個々の吸収層の厚さの比率は、干渉効果により所望の反射色を得るために、薄膜モデリングソフトウェア（Ｔｆｃａｌｃ．ＴＭ．など）を使用してさらに改良される。
【０１６６】
たとえば、必要な製品には、照明付きディスプレイの前に光沢のある黒色の外観が必要な場合がある。これは、拡散反射色が無視できるほど小さい、中立的な反射色の装飾コーティングによって達成できる。これは、Ｌ＊＝４４、ａ＊＝０、ｂ＊＝０の所望の透過色と、Ｌ＊＝２５、ａ＊＝０、ｂ＊＝０の所望の鏡面反射色として現れる。
【０１６７】
この例をさらに取り上げると、吸収層としてＣｒＺｒ合金を用いると、約１４％の％Ｔを達成するための吸収層の合計厚さは約１６．４ｎｍであり得る。所望の干渉を達成するために、吸収層の厚さの合計が９．７ｎｍと６．７ｎｍの２層に分割され、より厚い層が最初に堆積されるように、４層スタックを使用することができる。次に、ＳｉＯ２透明層を使用して２つの吸収層を分割し、その上に最終ＳｉＯ２層を堆積させることができる。この例では、ＣｒＺｒ／ＳｉＯ２／ＣｒＺｒ／ＳｉＯ２を含むスペクトル制御システムが用いられ、そこで、ＣｒＺｒ層と組み合わせたＳｉＯ２層の厚さは、次に所望の反射色を達成するための薄膜モデリングプログラムを介して最適化される。
【０１６８】
この点に関して、「光学的厚さ」は、複素屈折率と光ビームによる材料の移動距離との乗算から導き出される、与えられた材料が光の通過を遅らせる度合いの無次元の尺度であることが理解されたい。また、それは光路長とも呼ばれている。複素屈折率は、実部（屈折率として定義される）と虚部（減衰係数として定義される）で構成される数値である。材料の任意の層について、光学的厚さ（ｔ）は、材料の屈折率（ｎ）に層の物理的厚さ（ｄ）を掛けたものとして定義され、取り扱い波長でこの波長の屈曲率について正規化されることが理解される。したがって、例として、光学的厚さは、波長５５０ｎｍの屈折率を使用して計算されることができる。例えば、５０ｎｍの物理的厚さを有するクロム：ｎ５５０＝３．１７は、０．２８８の光学的厚さに対応し、一方、１００ｎｍの物理的厚さを有するＳｉＯ２：ｎ５５０＝１．４５５は、０．２６５の光学的厚さに対応している。
【０１６９】
また、本明細書を通して「吸収層」への言及は、４００ｎｍ以上１０００ｎｍ以下のスペクトル範囲で１よりも大きな測定された減衰係数を有する材料または材料の混合物を含む層への言及であることも理解されたい。さらに、本明細書全体にわたる「透明層」への言及は、４００ｎｍ以上１０００ｎｍ以下のスペクトル範囲で１未満の測定された光学的減衰係数を有する材料または材料の混合物を含む層への言及であることを理解されたい。
【０１７０】
本発明の装飾コーティングで利用される場合、保護層がスペクトル制御システムの最上部に適用され（したがって、最外層となる）、耐摩耗性、耐指紋性、および「簡単にきれいにする」機能性が強化される。このような保護層に適した材料は、ヘイズコントロール（マット添加剤）のための微粒子添加物の有無に関わらず、プラズマ重合ヘキサメチルジシロキサン（ＨＭＤＳＯ）、蒸発または液体転写技術で堆積したフルオロポリマーベースのコーティング、またはスピン、ディップ、スプレー、またはフローコーティング技術で塗布した液体ハードコートであってもよい。
【０１７１】
保護層を使用する場合、保護層はスペクトル制御システムの一部（および装飾コーティングの一部）を形成し、上記と同様に、所望の光学効果への影響にも対応する必要がある。実際、保護層が採用される発明の形態では、これにより、装飾コーティングが所望の光学効果を達成するように選択されるのは、保護層と吸収層および透明層とを合わせた光学的厚さとなる。
【０１７２】
前述のように、スペクトル制御システムの吸収層の場合、これらは４００ｎｍ以上１０００ｎｍ以下の金属のスペクトル範囲で１より大きい測定された光学的減衰係数を有する材料または材料の混合物を含む層である。好ましくは、これらの材料は、減衰係数を１より大きく維持しながら、屈折率と減衰係数との合計が２より大きくなるような屈折率を有する金属、半金属、金属合金、またはそれらの混合物である。スペクトル制御システムの透明層の場合、また前述のように、これらは、４００ｎｍ以上１０００ｎｍ以下の金属のスペクトル範囲で測定された減衰係数が１未満となる材料または材料の混合物を含む層である。好ましくは、これらの材料は、減衰係数を１未満に維持しながら、屈折率と減衰係数との合計が３未満となるような屈折率を有する金属、半金属、金属合金（またはそれらの混合物）である。
【０１７３】
この形態では、スペクトル制御システムは、異なる屈折率の材料の交互層で構成される干渉システムであり、理想的には隣接層間の屈折率コントラストが比較的高い。これに関して、そのような屈折率コントラストは、適切に低い屈折率を有する材料の透明層と、適切に高い屈折率を有する材料の吸収層の選択により達成することができる。この点で、屈折率の差は可能な限り大きくして、所望の反射色を生成するのに必要な全体の膜厚を減らす必要がある。実用的な材料の可能な限り低い低屈折率材料を使用することが望ましい。
【０１７４】
このことを念頭に置いて、吸収層に適した材料は、クロム、アルミニウム、チタン、ニッケル、モリブデン、ジルコニウム、タングステン、シリコン、ニオブ、タンタル、バナジウム、コバルト、マンガン、銀、亜鉛、インジウム、ゲルマニウム、スズ、およびそれらの混合物、および、それらの酸化物、窒化物、ホウ化物、フッ化物、または炭化物、およびそれらの混合物を含む、金属、半金属、及び金属合金の群から選択されることができる。最も好ましくは、少なくとも１つの層は、クロム、またはＣｒ−Ｚｒ、Ｃｒ−ＮｉまたはＣｒ−Ｍｏなどのクロム混合物、またはＣｒ−Ｎなどのそれらの炭化物または窒化物である。
【０１７５】
透明層に適した材料は、ホウ素、シリコン、ゲルマニウム、アンチモン、テルル、ポロニウム、ニオブ、ジルコニウム、マグネシウム、スズ、タンタル、アルミニウム、クロム、チタンおよび混合物、及び、それらの酸化物、窒化物、ホウ化物、フッ化物または炭化物、およびそれらの混合物を含む金属、半金属、および金属合金の群から選択されることができる。最も好ましくは、少なくとも１つの層は、ＳｉＯ２などの酸化物から形成される。
【０１７６】
スペクトル制御システムの複数の層を応力制御システムに適用するために採用できる好ましい堆積方法は、熱蒸発、電子ビーム蒸発（イオンビーム支援の有無にかかわらず）、またはスパッタ堆積などの適切な真空蒸着システムから選択されることもできる。スパッタ堆積が好ましい方法である。また、プラスチック基材の表面は、応力制御システムとスペクトル制御システムとの間の接着性を改善するために、最初に表面処理を受けていてもよい。表面処理は、プラズマ放電、コロナ放電、グロー放電、ＵＶ放射のいずれかから選択されてもよい。
【０１７７】
スペクトル制御システムの各々の層の好ましい光学的厚さは、もちろん、所望の光学効果に依存するだろう。したがって、異なる製品ごとに、「好ましい光学的厚さ」の異なる組み合わせがあることが予想される。これに注意して、上記の例のような４層スタックであるスペクトル制御システムでは、最初のＣｒＺｒ層が２ｎｍ以上４０ｎｍ以下の範囲の好ましい物理的厚さを有することが予想される。２番目の層は、２０ｎｍ以上２００ｎｍ以下の範囲の物理的に好ましい厚さを有し得る。２番目の層は、４８ｎｍ以上１０１ｎｍ以下の範囲のより好ましい物理的厚さを有し得る。３番目の層は、２ｎｍ以上４０ｎｍ以下の範囲の好ましい物理的厚さを有し得る。第３層の物理的厚さは、６．７ｎｍ以上２５ｎｍ以下の範囲のより好ましい範囲を有し得る。４番目の層は、１５ｎｍ以上２００ｎｍ以下の範囲の好ましい物理的厚さを有し得る。４番目の層は、１５ｎｍ以上４０ｎｍ以下の範囲のより好ましい物理的厚さを有し得る。
【０１７８】
ここで、応力制御システムの説明に戻ると、上記のように、応力制御システムは、理想的には、装飾コーティングの全体的な残留応力は（追加的な保護層を有さないときに測定した場合に）圧縮性であることを確実にすることができる材料の１つまたは複数の層で構成されているが、プラスチック基材と互換性を有する。この点で、「互換性を有する層は、プラスチック基材への良好な接着性を示すものとなる。
【０１７９】
この点で、この応力範囲では、コーティングされた基材は、塩水噴霧、熱衝撃、乾熱、浸漬、湿度試験などの耐久性試験を通して良好な性能を示すことがわかっている。この明細書全体を通して、この範囲は「所望のストレスウィンドウ」と呼ばれる。とはいえ、所望のストレスウィンドウの代替的な範囲は、−６ＭＰａ未満、または−６３ＭＰａ未満、または−７６ＭＰａ未満、または−１００ＭＰａ未満、または−１１０ＭＰａ未満、または−１１２未満、または１６０ＭＰａ未満である。さらに、応力ウィンドウの下限は、−３６０ＭＰａ以上、−３５９ＭＰａ以上、−３００ＭＰａ以上、−２５０ＭＰａ以上、または−２００ＭＰａ以上である。これらの範囲のさらなる組み合わせも、本発明によって企図される。たとえば、応力ウィンドウは−３００ＭＰａ以上０ＭＰａ以下、−３００ＭＰａ以上−６３ＭＰａ以下、−３００ＭＰａ以上−７５ＭＰａ以下、−３００ＭＰａ以上−１１０ＭＰａ以下、または−２５０ＭＰａ以上０ＭＰａ以下などであってもよい。
【０１８０】
上述のように、応力制御システムは、理想的には、装飾コーティングの全体的な残留応力のバランスを取るために使用され、全体的な残留応力が所望の応力ウィンドウで維持される。この点で、スペクトル制御システムが所望の光学効果を提供するように、吸収層と透明層（および存在する場合は保護層）との合計光学的厚さが選択される場合、所望の応力ウィンドウ内で装飾コーティングの全体的な残留応力を維持するために、応力制御システムは適切な量の圧縮応力の層を含む必要がある。
【０１８１】
応力制御システムの１つまたは複数の層をプラスチック基材に適用するために採用できる参照された蒸着方法は、熱蒸着、電子ビーム蒸着（イオンビームの支援ありまたはなし）、またはスパッタ堆積などの、任意の真空蒸着システムから選択されることができる。スパッタ堆積が好ましい方法である。
【０１８２】
また基材の表面は、最初に表面処理に供されて、応力制御システムと基材との間の接着を改善し得る。表面処理は、プラズマ放電、コロナ放電、グロー放電、ＵＶ放射のいずれかから選択されることができる。
【０１８３】
一形態において、応力制御システムは、１つまたは複数のその層の堆積パラメータを最適化することにより、所望の応力ウィンドウを達成するように調整されることができる。これらのパラメータには、スパッタ電力、ガス圧、窒素ガスのドーピング、及びコーティングの厚さが含まれる。基材加熱により熱応力成分を導入するか、または応力制御システムの堆積の直前に前処理プロセスを実施することにより、応力をより圧縮性（またはより低い引張り）に調整することもできる。応力制御システムとスペクトル制御システムとの相互作用は複雑であり、全体の残留応力の調整は、装飾コーティング全体が完全なコーティング「積層体」であるという観点で理想的に行われる。
【０１８４】
この点で、全体の残留応力は、ガラス顕微鏡カバースライド上に堆積された完全な積層体としての応力制御システムおよびスペクトル制御システムの測定された（そのような保護層が利用される場合でも、保護層なしの）応力プロファイルである。応力測定は、コーティングの堆積の前後にガラススライドを応力測定デバイス（Ｓｉｇｍａ  Ｐｈｙｓｉｋ  ＳＩＧ−５００ＳＰなど）に入れることで得られる。
【０１８５】
通常、層は所望の光学効果を達成するためにほぼ完全な（および一貫した）組成を維持する必要があるため、スペクトル制御システムの応力を調整する余地はほとんどなく、つまり、スペクトル制御システムの合成応力は制御できない傾向があり、引張りまたは時々わずかに圧縮される。したがって、装飾コーティングの全体的な残留応力を所望の応力ウィンドウにもたらすように調整されるのは、応力制御システムである。たとえば、スペクトル制御システムが高張力である場合、応力制御システムは、所望の応力ウィンドウを達成するために、応力が圧縮され、より大きな大きさである必要がある。
【０１８６】
応力制御システムは、堆積されたときに高レベルの圧縮応力を生成する材料の単一層であることが好ましい。その圧縮応力で知られる材料は、ＳｉＯｘ、ＳｉＯｘＮｙ、ＣｒＮｘ、ＮｂＯｘ、ＴａＯｘ、およびＺｒＯｘであり、ｘ及びｙは両方とも０．１以上２．０以下の間であることが好ましい。
【０１８７】
応力制御システムは多層システムであってもよく、これは、好ましい応力制御層が基材と適合しない（不十分な接着を示す）場合に必要になる場合がある。この場合、圧縮性またはわずかに伸縮性を有する互換性層が基材上に堆積され、次に高圧縮性層が上部に堆積される。多層システムの例は、ＣｒＮ／Ｎｂ２Ｏ５であってもよい。そのような多層応力制御システムは、基材と適合性の高い圧縮応力を得ると予想される。
【０１８８】
したがって、異なる色に上昇させるためにスペクトル制御システムの吸収層と透明層とのいずれかまたは両方に対して異なる光学的厚さを選択するなどして、所望の光学効果を別の所望の光学効果に変更する必要がある場合は、装飾コーティングの全体的な残留応力が所望の残留応力ウィンドウ内に維持されることを確実にするために、応力制御システムに付随する変更も必要になる可能性がある。
【０１８９】
したがって、本願は、プラスチック基材に装飾コーティングを塗布する方法も提供し、装飾コーティングは、コーティングされた基材に所望の光学効果を提供し、装飾コーティングは、スペクトル制御システムおよび応力制御システムを含み、スペクトル制御システムは選択的に保護層を含む複数の層であり、応力制御システムは少なくとも単一の層であり、スペクトル制御システムの複数の層は、透明層と交互の吸収層であり、この方法は、
ａ）所望の光学効果を決定し、
ｂ）スペクトル制御システムに必要な光学的厚さを参照して、所望の光学効果を提供する適切なスペクトル制御システムを決定し、
ｃ）選択的な保護層の非存在下で測定されたときに装飾コーティングの全体的な残留応力が圧縮されるような量の圧縮応力を有する適切な応力制御システムを決定し、
ｄ）プラスチック基材に適切な応力制御システムをコーティングし、
ｅ）適切なスペクトル制御システムを応力制御システムにコーティングし、
ｆ）それにより、所望の光学的効果を有するコーティングされたプラスチック基材を形成する。
【０１９０】
本発明のプラスチック基材は、任意の適切なプラスチック材料から形成されていてもよい。例えば、プラスチック基材は、ポリアクリレート、ポリエステル、ポリスチレン、ポリエチレン、ポリプロピレン、ポリアミド、ポリアミド、ポリカーボネート、エポキシ、フェノール、アクリロニトリル−ブタジエン−スチレン、アクリロニトリル−スチレン−アクリレート、アセタール、及びこれらの混合物を含む郡から選択された材料から形成されていてもよい。好ましいプラスチック基材材料には、ポリカーボネート、ポリ（２，２′−ジヒドロキシフェニルプロパン）カーボネート、ポリジエチレングリコールビス（アリルカーボネート）、ポリメチルメタクリレートおよびポリスチレン、またはそれらの混合物が含まれる。好ましい形態では、基材は典型的には、０．１ｍｍ以上２０ｍｍ以下の範囲、より好ましくは１ｍｍ以上５ｍｍ以下の範囲、最も好ましくは２ｍｍ以上３ｍｍ以下の範囲の物理的厚さを有する。
【０１９１】
本明細書に記載の装飾コーティングを有する製品は、装飾コーティング内には、選択的に装飾コーティングのスペクトルコーティングシステムの一部である、または装飾コーティングによる、上記の保護層など、装飾コーティングと基材との間に他のコーティングを含んでもよい。特に、いくつかの実施形態では、装飾コーティングと基材との間にハードコーティングを含めることが有利であると予想される。この形態では、ハードコーティングは全体的な所望の光学的効果に寄与しない保護層であるが、他の実施形態では、装飾コーティング上の外部保護層はそれ自体がハードコーティングである。
【０１９２】
この点で、「ハードコーティング」と呼ばれるコーティングは、基材よりも硬くて固いコーティングであり、それによりその基材の耐摩耗性が向上させる。このような耐摩耗性のハードコーティングは、衝撃や引っかきによる損傷を軽減するものである。耐摩耗性は、ＡＳＴＭ  Ｆ７３５「振動砂法を使用した透明プラスチックおよびコーティングの耐摩耗性の標準試験方法」、ＡＳＴＭ  Ｄ４０６０「有機コーティングの耐摩耗性の標準試験方法」、テーバー摩耗試験機、またはよく知られているスチールウール試験を用いて測定することができる。
【０１９３】
さらに、一部のプラスチック基材は特定の溶剤によって損傷を受ける可能性がある。たとえば、ポリカーボネートはアセトンによって損傷を受ける。本発明の装飾コーティングに適する可能性のある多くの製品にとって、それらは「化学的耐性」を有することが求められており、これはディーゼル燃料、石油、バッテリー酸、ブレーキ液、不凍液、アセトン、アルコール、オートマチックトランスミッション液、作動油、アンモニアベースのウィンドウクリーナーなどの通常の溶媒への曝露に耐える能力である。この点で、ハードコーティングは、理想的には、本発明の装飾コーティングを有する製品にそのような耐薬品性を提供することを理解されたい。
【０１９４】
ハードコーティングは、好ましくは、１つまたは複数の耐摩耗性層から形成され、プラスチック基材に良好に結合し、後続の耐摩耗性層に好ましい材料を形成するプライマー層を含んでもよい。プライマー層は、任意の適切な材料によって提供されてもよく、例えば、アクリルポリマー、アクリルモノマーとメタクリロキシシランの共重合体、またはメタクリルモノマーとベンゾトリアゾール基またはベンゾフェノン基を有するアクリルモノマーとの共重合体などの有機樹脂であってもよい。これらの有機樹脂は、単独でまたは２種以上を組み合わせて使用されることができる。
【０１９５】
［１］  耐摩耗層は、好ましくは、有機ケイ素、アクリル、ウレタン、メラミン、またはアモルファスＳｉＯｘＣｙＨｚからなる群から選択される１つまたは複数の材料から形成される。最も好ましくは、耐摩耗性層は、その優れた耐摩耗性と物理蒸着膜への適合性とにより、有機ケイ素層である。例えば、有機ケイ素ポリマーを含む耐摩耗性層は、ディップコーティングなどの方法で以下の化合物から選択される化合物の層を形成し、次いで層を硬化させることによって形成されることができる。当該化合物は、
トリアルコキシシランまたはなどのトリアシルオキシシランであって、メチルトリメトキシシラン、メチルトリエトキシシラン、メチルトリメトキシエトキシシラン、メチルトリアセトキシシラン、メチルトリプロポキシシラン、メチルトリブトキシラン、エチルトリメトキシシラン、エチルトリエトキシシラン、ビニルトリメトキシシラン、ビニルトリエトキシシラン、ビニルトラセトキシシラン、ビニルトリメトキシエトキシシラン、フェニルトリメトキシシラン、フェニルトリエトキシシラン、フェニルトリアセトキシシラン、γ−クロロプロピルトリメトキシシラン、γ−クロロプロピルトリエトキシシラン、γ−クロロプロピルトリプロポキシシラン、３，３，３−トリフルオロプロピルトリメトキシシラン、γ−グリシドキシプロピルトリメトキシシラン、γ−グリシドキシプロピルトリエトキシシラン、γ−（β−グリシドキシエトキシ）プロピルトリメトキシシラン、β−（３，４−エポキシシクロヘキシル）エチルトリメトキシシラン、β−（３，４−エポキシシクロヘキシル）エチルトリエトキシシラン、γ−メタクリロキシプロピルトリメチルオキシシラン、γ−アミノプロピルトリメトキシシラン、γ−アミノプロピルトリエトキシシラン、γ−メラプトプロピルトリメトキシシラン、γ−メルカプトプロピルトリエトキシシラン、Ｎ−β（アミノエチル）−γ−アミノプロピルトリメトキシシラン、β−シアノエチルトリエトキシシランなどや、ジアルコキシシランまたはジアシルオキシシランであって、ジメチルジメトキシシラン、フェニルメチルジメトキシシラン、ジメチルジエトキシシラン、フェニルメチルジエトキシシラン、γ−グリシドキシプロピルメチルジメトキシシラン、γ−グリシドキシプロピルメチルジエトキシシラン、γ−グリシドキシプロピルフェニルジメトキシシラン、γ−グリシドキシプロピルフェニルジエトキシシラン、γ−クロロプロピルメチルジメトキシシラン、γ−クロロプロピルメチルジエトキシシラン、ジメチルジアセトキシシラン、γ−メタクリロキシポロピルメチルジメトキシシラン、γ−メタクリロキシポロピルメチルジメトキシシラン、γ−メルカプトプロピルメチルジメトキシシラン、γ−メルカプトプロピルメチルジエトキシシラン、γ−アミノプロピルメチルジメトキシシラン、γ−アミノプロピルメチルジエトキシシラン、メチルビニルジメトキシシラン、メチルビニルジエトキシシランなどである。
【０１９６】
耐摩耗層は、液体へのディップコーティングとそれに続く溶媒蒸発、または適切なモノマーを介したプラズマ化学気相成長法（ＰＥＣＶＤ）により、プラスチック基材上にコーティングされることができる。フローコーティングやスプレーコーティングなどの代替堆積技術も適している。ハードコーティングの耐摩耗性を改善するために、耐摩耗層の後続のコーティングを、好ましくは４８時間以内に追加して、古いコーティングの老化および汚染を回避することができる。
【０１９７】
耐摩耗性層の厚さは、適切な耐摩耗性の提供を支援するように選択されることが好ましい。これに関して、本明細書では、適切な耐摩耗性は、コーティングされていないプラスチック基材（ポリカーボネートなど）に対するバイエル摩耗比５、または代替として、５００ｇの荷重とＣＳ１０Ｆホイールが５００サイクルとで試験した後にテーバー摩耗試験で曇り度δが１５％未満である（ＡＳＴＭ  Ｄ１００３に従って測定された曇り度％）。これらの要件が満たされ、有機ケイ素が耐摩耗性層として使用される場合、ハードコーティングの厚さは、好ましくは約１ミクロン以上約１５ミクロン以下の範囲であり、最も好ましくは３ミクロン以上７ミクロン以下である。
【０１９８】
視覚的な外観の改良は、基材をパターニングすることで実現することができる。例えば、パターン化された射出成形金型を使用することにより、基材の前面にパターンを形成することができる。望ましい光学効果の例は、つや消しステンレス鋼を複製することであり、互いに近接して配置されたランダムな長さ（１ｃｍ以上５ｃｍ以下）の平行線は、本発明で続いてコーティングされたときにこの外観を達成できることがわかった。
【０１９９】
つや消しステンレス鋼との視覚的比較を改善するためのさらなる改良は、パターン化された基材に適用されるハードコーティング保護層につや消し添加剤を組み込むことである。この点に関して、マット添加剤の小さい（通常約０．５μｍ）粒子により生成される不均一な表面によりマット効果が達成されることが知られている。ハードコートへのつや消し添加剤の添加による保護層の変更により、「サテン」の外観も得ることができる。これは、顕著な拡散反射成分（拡散反射約１０％以上３０％以下、好ましくは１６％で、鏡面反射が約８％）によって特徴付けられる。
【０２００】
本発明のさらなる形態では、装飾コーティングを保護層でオーバーコーティングして、耐摩耗性をさらに強化するか、コーティングされた製品の洗浄性を助けることができる。例えば、保護層は、疎水性、親水性、疎油性、親油性および疎油性の特性またはそれらの組み合わせを含む特性を示す材料から形成されてもよく、上記のようなハードコーティング（つや消し添加剤（粒子）の有無にかかわらず）を含んでもよい。
【０２０１】
本発明による装飾コーティングされたプラスチック基材の可能な用途に関して、上に示したように、コーティングされたプラスチック基材は、高級自動車の内装および外装トリム部品、消費者および家庭用品だけでなく、ファッショナブルな家庭用電子製品、およびそれらの商品の部分的または全面的な表面を含む様々な消費財のデザイナー表面（ｄｅｓｉｇｎｅｒ  ｓｕｒｆａｃｅ）として使用できる。
【０２０２】
また、コーティングされたプラスチック基材は、適切な状況で、一般に「点灯するまで隠れた」照明と呼ばれる製品の照明パターン、および一般的なバックライトを提供することができる。この点で、正しい％Ｒと％Ｔとを選択することにより、コーティングを通して光を照射して照明パターンを生成できるようにすることで、望ましい光学効果を実現できる。しかしながら、背面照明が存在しない場合、製品の視覚的外観は均一に見えるため、目に見えるパターンは存在しない。
【０２０３】
あらゆる目的のために参照により本明細書に組み込まれる欧州出願番号１６１９８７５９．９に記載されているように、サイズおよびコストを削減すると同時に、機能および効率を高める既知の外部リアビジョン装置をさらに開発することも本発明の目的である。
【０２０４】
この目的は、ヘッドアセンブリのケーシング、特に下部ケーシング要素に球形の座部を提供するベースアセンブリの脚部と、およびケーシングに少なくとも１つの球形の座部を提供するフレーム手段とによって解決され、フレーム手段により強固に固定部分に取り付けられているか、固定部分に含まれている。
【０２０５】
用途によれば、ベースアセンブリは、自動車への取り付けのための取り付け部品を含むことができ、取り付け部品により、関節アセンブリのための、または間接アセンブリに制御システムを運ぶか、および／または取り付け部品は、自動車の内部からケーブルを脚部の内部に案内する、および／または取り付け部品は、その球形座部と反対側の端部で脚部を閉じる。
【０２０６】
ベースアセンブリが、関節アセンブリの固定部分、および／またはフレーム手段の固定部分を取り付けるためのキャリア部分を含み、キャリア部分がベースアセンブリの球状座部から延びる、および／またはキャリア部分がケーブルを脚部の内側からケーブル出口を通ってヘッドアセンブリに導くことも提案されている。
【０２０７】
さらに、本発明では、キャリア部分が固定部内に少なくとも部分的に配置され、および／またはキャリア部分がねじまたはクリップ接続および／または差込取り付けによって固定部に取り付けられることが提案されている。
【０２０８】
フレーム手段は、好ましくは少なくとも部分的に固定部分を、特にリング形状を有する支持部分により囲むことによる、および／またはクリップまたはスナップ接続による、関節アセンブリの固定部分を支持する支持部分を含んでいてもよい。
【０２０９】
好ましい実施形態は、フレーム手段が、ケーシングの下部ケーシング要素用の第１の球形座部と、ケーシングの上部ケーシング要素用の第２の球形座部とを含み、好ましくは、フレーム手段の第１および第２の球形座部が、固定部の両端、および／または関節手段の固定部から離れた方向を向く支持部分の側部に配置された、延長部によって設けられていることを特徴とする。
【０２１０】
本発明では、第１の球形座部は、関節手段の固定部分から離れる方向を向く第１の延長部と、関節手段の可動部に向く第２の延長部とによって提供されることが提案されており、好ましくは支持部分と第１および第２の延長部とは関節手段の可動部に向けて面するリムを提供する切り欠きを有するリングの一部を形成する。
【０２１１】
固定手段にはケーブル出口が設けられ、固定手段のケーブル出口はキャリア部のケーブル出口と整列し、および／または固定手段のケーブル出口は側部に、関節手段の固定部分とは反対側を向くように配置される、および／または固定手段のケーブル出口を出るケーブルは、ヘッドアセンブリ内に少なくとも部分的に配置された少なくとも１つのカメラおよび／または少なくとも１つのライトユニットに接続されることが好ましい。
【０２１２】
さらにまた、本発明では、下側ケーシング要素が、脚部の球形座部と協働する第１の球形座部、および／またはフレーム手段の第１の球形座部と協働する第２の球形座部を有し、好ましくは、下部ケーシング要素の第１及び第２の球形座部が下部ケーシング要素の基部によって提供されることが提案されている。
【０２１３】
下部ケーシング要素は、好ましくは、関節アセンブリの可動部に固定された取り付け部を有し、好ましくは、取り付け部は、下部ケーシング要素の基部に対して実質的に垂直に延び、および／または好ましくは、取り付け部およびフレーム手段は、関節手段の固定部分及び可動部分によって提供されるユニットの両側に配置され、および／または好ましくは取り付け部分は可動部を少なくとも部分的に取り囲み、および／または好ましくは取り付け部および可動部がクリップ、プラグ、および／またはスナップ接続を介して接続される。
【０２１４】
また、取り付け部品には、関節アセンブリの可動部分を部分的に囲むための部分的なリングを設けることが提案されており、部分的なリングは、好ましくは、支持部と第１及び第２の延長部によって提供される部分的なリングによって決定される切り欠きによって提供される。
【０２１５】
ユニットは、取り付け部に取り付けられた、特にミラー要素の形態の反射要素用のアクチュエータであってもよい。
さらに、下部ケーシング要素が上部ケーシング要素および／またはカメラを保持し、および／またはベゼルが下部および上部ケーシング要素に取り付けられ、ベゼルが好ましくは反射要素を取り囲むことが提案される。
【０２１６】
特に外部リアビューミラーのミラーヘッドの形をした外部リアビジョン装置のヘッドアセンブリは、球面ジョイントの周りの関節手段、特にガラスアクチュエータを使用して、共通の関節点を有する互いに垂直な２つの関節軸を中心に回転できるように、互いに対して移動する部品の間に球面座部が設けられて、インボード／アウトボードおよびアップ／ダウンで関節接合されていてもよい。これにより、現在のエンドユーザーの機能性を確実に維持しながら、ミラーサイズを大幅に小さくし、サイズを最大で３０％削減される。さらに、球面座部を備えた内部機構のユニークなレイアウトにより、パッケージングとパフォーマンスが向上する。
【０２１７】
また、関節アセンブリは、特に関節アセンブリとヘッドアセンブリのケーシングとの間にフレーム手段が配置されているため、球形座部を使用した衝撃に対しても支持および保護されている。そのうちの１つが関節アセンブリの可動部に固定されているいくつかのケーシング要素から組み立てられたケーシングは、重量配分を改善し、車両のハウジング前面全体の面積を削減し、空力性能を向上させ、したがってより高い燃料効率を提供する。
【０２１８】
２つの関節軸のための単一のピボット点を備えた本発明のリアビジョン装置に使用されるピボットシステムは、動的ミラー性能およびミラー衝撃支持を提供しながらミラー調整運動を可能にする。
【０２１９】
さらに、すべての目的のために参照によりその全体が本明細書に組み込まれる米国特許出願第１５／４３９，１８８号で説明されているように、別の態様では、ミラーアセンブリはミラーハウジング、第１の視野を有する反射要素、第２の視野を有し、第１の視野よりも広い第２の視野を有する反射コーティングと、ミラーハウジングにより支持され、反射要素支持領域を含む多機能バッキングプレートとを含み、反射要素は多機能バッキングプレートと反射コーティングがバッキングプレートに適用される反射コーティング支持領域まによって支持されている。
【０２２０】
反射コーティング支持領域は、反射コーティングが凸状でより広い視野を提供するように凸状であってもよい。
反射要素支持領域は、反射要素を受け入れるための開口部を含むことができ、反射コーティング支持領域は、反射要素支持領域よりも厚くてもよい。
【０２２１】
反射コーティングは、クロムベースの反射コーティングであっていてもよい。
別の態様では、本説明は、バッキングプレートまたはポリマー基材に関し、バッキングプレートまたはポリマー基材は、クロムベースの反射コーティングなどの反射コーティングでコーティングされている。
【０２２２】
本説明は、バッキングプレートまたはポリマー基材のためのクロムベースの反射コーティングも提供し、コーティングはクロムとドーパント材料との合金であり、ドーパント材料は六方最密遷移金属から選択され、合金は二次オメガ六方最密充填相と共存する一次体心立方相の結晶構造を有している。本発明の好ましい形態では、合金はクロムとドーパント材料との二元合金である。
【０２２３】
本説明は、バッキングプレートまたはポリマー基材上にクロムベースの反射コーティングを形成する方法も提供し、この方法は、クロムおよびドーパント材料を物理蒸着によってポリマー基材に適用することを含み、ドーパント材料は、合金コーティングを形成するために、六方最密遷移金属から選択され、合金コーティングは、二次オメガ六方最密充填相と共存する一次体心立方相の結晶構造を有するように適用されている。本発明の好ましい形態では、合金は、クロムとドーパント材料との二元合金となるように適用されている。
【０２２４】
一実施形態では、少なくとも１つの発光要素はポリマー基材の片側に配置され、ポリマー基材およびクロム系反射コーティングは、少なくとも１つの照明要素から生じる光に対して少なくとも部分的に透過性である。
【０２２５】
ポリマー基材は、自動車産業、広告産業、または光反射特性および光透過特性も提供する保護コーティングを有する製品を提供する任意の産業など、さまざまな技術分野で使用されることができる。
【０２２６】
クロムベースの反射コーティングは、クロムを含む合金に基づいていてもよい。クロムは遷移金属の６族の１つであり、体心立方（ｂｃｃ）結晶構造を有している。２つの主要な金属成分の合金である、本発明の好ましい二元合金に主要成分として組み込まれ、クロムは主に腐食に強い光沢のある硬い表面の生成に貢献するために使用され、したがって鏡を形成する際に許容できる用途を見出すために、好ましくはＲ％が５０％を超える、光反射率の望ましい特性を合金にもたらす。それは、融点が高く、結晶構造が安定しており、熱膨張が適度であるため、それを上記の過酷な環境条件での使用に最適な主要コンポーネントにする。
【０２２７】
好ましい二元合金の二次成分は上記のドーパント材料であり、本明細書のドーパント材料はしばしばＭと呼ばれ、六方最密（ｈｃｐ）遷移金属から選択される。ｈｃｐ構造は、遷移金属のうちで最も一般的であり、遷移金属ジルコニウム（Ｚｒ）、チタン（Ｔｉ）、コバルト（Ｃｏ）、ハフニウム（Ｈｆ）、ルビジウム（Ｒｕ）、イットリウム（Ｙ）、およびオスミウム（Ｏｓ）を含む。これに関して、Ｚｒ、Ｔｉ、およびＣｏなどの、これらのｈｃｐ遷移金属のいくつかは、実際に使用するのがより簡単な材料であり、本発明の目的にとって好ましいドーパント材料となる。
【０２２８】
Ｚｒが最も好ましいｈｃｐドーパント材料となると予想されるため、本発明は、本明細書では主にＺｒをｈｃｐドーパント材料として説明するが、これは本発明の範囲を限定するものとみなされるべきではない。
【０２２９】
本発明の好ましい形態では、合金は二元合金であり、二元合金中のドーパント材料の原子百分率は、約１．９原子％以上約５．８原子％以下の範囲である。しかしながら、この広い範囲内で、以下でさらに説明されるように、特定のドーパント材料に関係するより狭い範囲があり得る。
【０２３０】
少量のｈｃｐドーパント材料をクロム（ｂｃｃ遷移金属）に導入すると、ｂｃｃ及びオメガ−ｈｃｐ相が共存する金属間結晶構造を有する合金組成の範囲が得られることがわかっており、これらの合金にさらに有利な特性（クロム単独の特性を超える）を提供することがわかっている。実際には、クロムの量に対するｈｃｐドーパント材料の量を慎重に選択すると、特定の望ましい範囲内での合金組成の上昇をもたらすことができ、望ましい特性（耐摩耗性など）が最大化されて、望ましくない特性（中間色以外の色など）は最小化される。
【０２３１】
説明として、本発明によるコーティングは、ドーパント材料の元素組成が、ｂｃｃのみから、ｂｃｃにオメガ−ｈｃｐを加えたもの、ｂｃｃにアモルファス相を加えたもの、に増加するにつれて、相組成が変化することが分かった。コーティングで見られる光学的および機械的特性は、組成のこれらの変化に見合った変化を示し、好ましい光学的および機械的特性は、相組成がｂｃｃにオメガ−ｈｃｐを加えたものである場合に発生する。理論に拘束されることを望むことなく、観察された変化は、原子の電子構造の変化と互いに対する結晶構造とに起因すると考えられている。
【０２３２】
具体的には、相組成がｂｃｃにオメガ−ｈｃｐを加えたものである場合、コーティングの結晶構造はｄ軌道遷移を示し、中間色と比較的低い反射率との上昇を生じ、秩序だった結晶構造は摩耗に対する相対的耐性が高くなる。比較として、アモルファス相が存在する場合、ｄ軌道遷移はもはや観察されず、隣接する原子間の軌道の混成がｄ軌道を部分的に満たしており、より望ましくない低反射率と相関することを示している。さらに、そのようなアモルファス相の原子充填密度が低いと、耐摩耗性が低下したコーティングが得られることがわかったが、これももちろん望ましくない。
【０２３３】
これを念頭に置いて、一般式ＣｒＭｘでドーパント材料をＭと呼ぶと、ｂｃｃにオメガ−ｈｃｐを加えたものから、ｂｃｃにアモルファス相を加えてものへの相遷移は、ｘの値が約０．０６で生じ、ドーパント材料がＺｒの場合、約５．８原子％まで相関することがわかった。ＴｉとＣｏとについてもほぼ同じｘの値で同じ遷移が起こると予想される。
【０２３４】
反射率とは異なり、本発明のコーティングの色は、ｂｃｃにオメガ−ｈｃｐを加えたものからｂｃｃアモルファス相を加えたものへの相の遷移において傾向の変化を示さないことがわかった。反対に、ｂｃｃからｂｃｃにオメガ−ｈｃｐを加えたものへの相の遷移では、Ｚｒに対してｘ（上記の一般式）の値が約０．０５（下限である約４．５％に相関する）であるとき、本発明のコーティングの色の変化が見られた。これは、ドーパント材料が約４．５原子％に近いとき、Ｚｒの濃度で電子構造の軌道の混成の開始が生じることを示唆している。しかしながら、Ｃｏのドーパント材料と同じ遷移点は、約１．９原子％であることがわかっている。
【０２３５】
説明のために、そして再び例示的なｈｃｐドーパント材料としてＺｒを使用すると、低濃度で、Ｚｒの元素組成を増加させると、耐摩耗性が増加する。耐摩耗性の最大値は、ｂｃｃからｂｃｃにオメガ−ｈｃｐを加えたものへの遷移で観察され、その後、Ｚｒ濃度を増加させると、測定された摩耗率が着実に減少する。実際に、ＣｒＺｒｘコーティングの電子回折分析から、１つの相組成から別の相組成への変化を表す２つの遷移濃度が定義されている。ドーパント材料としてのＺｒの場合、これらの遷移は約ｘ＝０．０５（ｂｃｃからｂｃｃにΩ−ｈｃｐを加えたもの）および約０．０６（ｂｃｃにΩ−ｈｃｐを加えたものからｂｃｃにアモルファスを加えたもの）にある。この点で、オメガ−ｈｃｐ相は、ｂｃｃ構造からの変位相変換であると理解されている。
【０２３６】
したがって、一例では、合金は二元合金であり、ドーパント材料はＺｒであり、二元合金中のドーパント材料の原子百分率は、約４．５原子％以上約５．８原子％以下の範囲内になる。
【０２３７】
さらに別の形態では、合金は二元合金であり、ドーパント材料はＣｏであり、二元合金中のドーパント材料の原子百分率は約１．９原子％以上約５．７原子％以下の範囲である。Ｚｒ及びＣｏと、Ｔｉの範囲とに関して行われた実験研究（以下に説明）から発明者が（すべてのｈｃｐ遷移金属の物理的性質の類似性に基づいて）予測可能な結論に関連して、当業者は、本発明におけるドーパント材料としての他のｈｃｐ遷移金属の挙動が、Ｚｒ、Ｃｏ、およびＴｉで見られるものと同じまたは類似であると合理的に予想されることを理解するであろう。実際に、ｂｃｃ遷移金属モリブデン（Ｍｏ）で行われた比較実験作業（同様に、以下に説明）では、この遷移金属の物理的性質が異なるために同様の挙動が予想されず（そして見られなかった）、また、ｈｃｐ遷移金属に関するこれらの予測的結論を裏付ける傾向があった。
【０２３８】
実際に、他のｈｃｐ遷移金属の物理的性質がＺｒ及びＣｏの両方に類似していることを考えると、Ｔｉ、Ｈｆ、Ｒｕ、Ｙ、およびＯｓは、それらの濃度が約１．９原子％以上約５．８原子％以下の範囲内である場合に、本発明のＣｒベース合金において同じ構造形成能力を示すと予想される。
【０２３９】
コーティングは、透過および／または反射率などの、所望の光学特性を達成するために厚さが選択される、極薄コーティングであることが好ましい場合がある。たとえば、この明細書では、コーティングは２００ｎｍ以下の厚さのコーティングとして定義されている。一実施形態では、コーティングは１００ｎｍの厚さを有している。好ましい厚さは、１００ｎｍ以下の範囲、またはより好ましくは４０ｎｍ以上８０ｎｍ以下の範囲、またはより好ましくは５０ｎｍ以上７０ｎｍ以下のより狭い範囲であることが想定される。理想的には、厚さは約６０ｎｍである。
【０２４０】
好ましくは、本発明のポリマー基材は、射出圧縮成形によって形成されるが、圧縮成形、ブロー成形、反応成形、およびシートキャスティングなどの当技術分野で知られている他の方法も利用することができ、したがって本発明の範囲内に入る。
【０２４１】
高分子基材は、任意の既知の種類の高分子基材材料であってもよく、例えば、ポリアクリレート、ポリエステル、ポリスチレン、ポリエチレン、ポリプロピレン、ポリアミド、ポリアミド、ポリカーボネート、エポキシ、フェノール、アクリロニトリル−ブタジエン−スチレン、アクリロニトリル−スチレン−アリレート、アセタール、およびこれらの混合物を含む群から選択される材料から形成された基材であってもよい。好ましい基材材料には、ポリカーボネート、ポリ（２，２’−ジヒドロキシフェニルプロパン）カーボネート、ポリジエチレングリコールビス（アリルカーボネート）、ポリメチルメタクリレートおよびポリスチレン、またはそれらの混合物が含まれる。
【０２４２】
本発明のコーティングを支持するポリマー基材またはバッキングプレートは、コーティングと基材の間、コーティング内、または外層として、他のコーティング（プレコーティング）を含んでもよい。特に、いくつかの実施形態では、コーティングと基材との間に、または外側コーティングとしてハードコーティングを含めることが有利であることが予想される。この形態では、ハードコーティングは全体的な所望の光学効果に寄与しない保護層であるが、他の実施形態では、装飾コーティング上の外部保護層はそれ自体がハードコーティングである。
【０２４３】
この点で、「ハードコーティング」と呼ばれるコーティングは、基材よりも硬くて固いコーティングであり、それによりその基材の耐摩耗性が向上させる。ハードコートの例は、有機ケイ素、アクリル、ウレタン、メラミン、またはアモルファスＳｉＯｘＣｙＨｚであるがこれらに限定されない。このような耐摩耗性のハードコーティングは、衝撃や引っかきによる損傷を軽減するものである。耐摩耗性は、ＡＳＴＭ  Ｆ７３５「振動砂法を使用した透明なプラスチック及びコーティングの耐摩耗性の標準試験方法」、ＡＳＴＭ  ０４０６０「有機コーティングの耐摩耗性の標準試験方法」、テーバー摩耗試験機、またはよく知られているスチールウール試験を用いて測定することができる。
【０２４４】
耐摩耗層は、好ましくは、有機ケイ素、アクリル、ウレタン、メラミン、またはアモルファスＳｉＯｘＣｙＨｚからなる群から選択される１つまたは複数の材料から形成される。最も好ましくは、耐摩耗性層は、その優れた耐摩耗性と物理蒸着膜への適合性とにより、有機ケイ素層である。例えば、有機ケイ素ポリマーを含む耐摩耗性層は、ディップコーティングなどの方法で以下の化合物から選択される化合物の層を形成し、次いで層を硬化させることによって形成されることができる。
【０２４５】
当該化合物は、トリアルコキシシランまたはなどのトリアシルオキシシランであって、メチルトリメトキシシラン、メチルトリエトキシシラン、メチルトリメチルエトキシシラン、メチルトリアセトキシシラン、メチルトリプロポキシシラン、メチルトリブトキシラン、エチルトリメトキシシラン、エチルトリエトキシシラン、ビニルトリメトキシシラン、ビニルトリエトキシシラン、ビニルトラセトキシシラン、ビニルトリメトキシエトシシラン、フェニルトリメトキシシラン、フェニルトリエトキシシラン、フェニルトリアセトキシシラン、γ−クロロプロピルトリメトキシシラン、γ−クロロプロピルトリエトキシシラン、γ−クロロプロピルトリプロポキシシラン、３，３，３−トリフルオロプロピルトリメトキシシラン、γ−グリシドキシプロピルトリメトキシシラン、γ−グリシドキシプロピルトリエトキシシラン、γ−（β−グリシドキシエトキシ）プロピルトリメトキシシラン、β−（３，４−エポキシシクロヘキシル）エチルトリメトキシシラン、β−（３，４−エポキシシクロヘキシル）エチルリエトキシシラン、γ−メタクリロキシプロピルトリメチルオキシシラン、γ−アミノプロピルトリメトキシシラン、γ−アミノプロピルトリエトキシシラン、γ−メラプトプロピルトリメトキシシラン、γ−メルカプトプロピルトリエトキシシラン、Ｎβ（アミノエチル）−γ−アミノプロピルトリメトキシシラン、βシアノエチルトリエトキシシランなどや、ジアルコキシシランまたはジアシルオキシシランであって、ジメチルジメトキシシラン、フェニルメチルジメトキシシラン、ジメチルジエトキシシラン、フェニルメチルジエトキシシラン、γ−グリシドキシプロピルメチルジメトキシシラン、γ−グリシドキシプロピルメチルジエトキシシラン、γ−グリシドキシプロピルフェニルジメトキシシラン、γ−グリシドキシプロピルフェニルジエトキシシラン、γ−クロロプロピルメチルジメトキシシラン、γ−クロロプロピルメチルジエトキシシラン、ジメチルジアセトキシシラン、γ−メタクリロキシポロピルメチルジメトキシシラン、γ−メタクリロキシポロピルメチルジエトキシシラン、γ−メルカプトプロピルメチルジメトキシシラン、γ−メルカプトプロピルメチルジエトキシシラン、γ−アミノプロピルメチルジメトキシシラン、γ−アミノプロピルメチルジエトキシシラン、メチルビニルジメトキシシラン、メチルビニルジエトキシシランなどである。
【０２４６】
プレコートフィルムには、無機酸化物（シリカ、チタニア、アルミナ）、Ｃｒベースの合金コーティングの特定の用途に求められるような、プレコート基材が望ましい表面エネルギ、残留応力、熱膨張係数、伝導性、化学的機能性などを有するように準備された金属薄膜（Ｃｒなど）も含まれる。
【０２４７】
同様に、当業者は、本発明のコーティングの上にオーバーコーティングを適用できることを理解するであろう。このオーバーコーティングは、機械的強度、湿潤性、光学干渉フィルタ、修正摩擦係数などの目的のための透明なコーティングを含んでいてもよい。オーバーコーティングは、上記のハードコートまたはその他の保護層であってもよい。このような保護層は、耐摩耗性、耐指紋性、および「清掃容易」機能を強化する。このような保護層に適した材料は、曇り制御（マット添加剤）のための微粒子添加剤の有無に関わらず、プラズマ重合ヘキサメチルジシロキサン（ＨＭＤＳＯ）、蒸発または液体転写技術により堆積したフルオロポリマーベースのコーティング、またはスピン、ディップ、スプレー、またはフローコーティング技術により塗布した液体ハードコートであってもよい。一実施形態では、ポリマー基材がリアビュー装置のハウジングとして使用される場合、オーバーコーティングは、光要素からの光に対して透過性であり、リアビュー装置および車両の残りの部分と同じ色を有していてもよい。一実施形態では、色は車両の他の部分と異なっていてもよい。
【０２４８】
好ましい形態では、本発明の方法で採用される物理蒸着技術は、マグネトロンスパッタリングに基づいており、それは一次合金ターゲットからのものであっても、合金の各成分から作られた２つのターゲットを含む共スパッタリングプロセスを使用していてもよい。代替的に、好ましい合金は、それぞれの合金成分の熱蒸発または電子ビーム蒸発を使用して堆積できることを理解されたい。
【０２４９】
ポリマー基材の性質により、従来の温度処理（堆積中または堆積後）を一般的に採用して本発明のタイプの合金コーティングの特性を変更することはできないが、これは最終的に高分子基材のポリマー材料に依存することを理解されたい。本発明のコーティングにおいて、発明者らは、ｂｃｃのみのものから、ｂｃｃにΩ−ｈｃｐを加えたもの、ｂｃｃにアモルファス相を加えたものまで、ドーパント材料（Ｚｒ、Ｔｉ、またはＣｏなど）の元素組成が増加するにつれて、好ましい合金の相組成が変化することを見つけ出した。これらの（極薄コーティングとして）好ましい合金の光学的および機械的特性は、組成に応じた変動を示し、観測された変化は、原子の電子構造の変化と互いに対する結晶の適合に関連する。
【０２５０】
実際に、これらの結晶極薄コーティングは、中間色と比較的低い反射率の上昇をもたらすｄ軌道遷移を示しており、整然とした結晶構造により、耐摩耗性が相対的に高くなっている。アモルファス材料がコーティング内に存在する場合、ｄ軌道遷移はもはや観察されず、ｄ軌道の部分的な充填を示す。隣接する原子間の軌道混成は部分的にｄ軌道を満たし、黄色と高い反射率と相関すると考えられている。さらに、アモルファス相の原子充填密度が低いため、耐摩耗性が低下したコーティングが得られた。
【０２５１】
本説明を通して多くの異なるコーティング化合物が記載されており、本発明はそのようなコーティングに限定されないことを理解されたい。例えば、本明細書によるコーティングされたバッキングプレートは、本明細書に記載されたコーティングに限定されない任意のタイプの反射コーティングによってコーティングされていてもよい。
【図１】
2020511362.tif 000003
【図２】
2020511362.tif 000004
【図３】
2020511362.tif 000005
【図４】
2020511362.tif 000006
【図５】
2020511362.tif 000007
【図６】
2020511362.tif 000008
【図７】
2020511362.tif 000009
【図８】
2020511362.tif 000010
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
車両で使用するための多機能リアビュー装置（１００、７００、９００）において、
前記車両に取り付けられて前記車両に対して移動可能に構成されたハウジング（１１０）と、
反射要素、カメラ、およびディスプレイ要素の少なくとも１つを備えたリアビュー要素（１２０、７５０、９５０）と、
前記リアビュー要素（１２０、７５０、９５０）を囲む多機能リアビュー装置（１００、７００、９００）の外側部分に形成されたベゼル（１３０、７２０、９２０）であって、前記リアビュー要素（１２０、７５０、９５０）は、前記ベゼル（１３０、７２０、９２０）および前記ハウジング（１１０）の少なくとも１つに取り付けられた、ベゼル（１３０、７２０、９２０）と、
前記ベゼル（１３０、７２０、９２０）内に形成された内部空間と、
前記ベゼル（１３０）の少なくとも部分的に前記内部空間内に位置する、１つまたは複数のライトアセンブリ（２００、６１０、８１０）および１つまたは複数の電子手段と、を備え、
前記多機能装置（１００）は、機能的にアクチュエータに接続されており、前記アクチュエータは、前記ハウジング（１１０）の外側に位置して、前記リアビュー要素（１２０）だけでなく、前記ハウジング（１１０）を全体的に含む前記多機能装置（１００）を移動させ、
前記ベゼル（１３０）は、少なくとも１つが着色され、表面仕上げされ、透明で、コーティングされたプラスチック基材で作られるとともに、前記ベゼル（１３０）は透明でクロムベースのコーティングを含み、点灯するまで前記ベゼル（１３０）の下の前記１つまたは複数のライトアセンブリ（２００）を隠す、多機能リアビュー装置（１００、７００、９００）。
【請求項２】
請求項１に記載の多機能リアビュー装置（１００）において、
前記ベゼル（１３０）は、コーティングされ、前記ベゼル（１３０）のコーティングは、装飾コーティング、先進表面技術（ＡＳＴ）表面コーティング、およびスペクトル制御システムのうちの少なくとも１つである、および／または
前記ベゼル（１３０）は、ポリマー基材から形成または成形された、多機能リアビュー装置（１００）。
【請求項３】
請求項１または２に記載の多機能リアビュー装置（１００）において、前記クロムベースのコーティングは、クロムとドーパント材料との合金であり、前記ドーパント材料は、六方最密遷移金属から選択され、前記合金は、二次オメガ六方最密相と共存する一次体心立方相の結晶構造を有する、多機能リアビュー装置（１００）。
【請求項４】
請求項１乃至３のいずれか１項に記載の多機能リアビュー装置（１００）において、前記１つまたは複数のライトアセンブリは、少なくとも１つまたは複数のライト機能表示を提供し、好ましくは方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示；および／または
前記１つまたは複数のライトアセンブリ（２００）はそれぞれ、
プリント回路基板、
発光ダイオード、
統合レンズ、
自己充電照明材料、
フレキシブル回路基板、
電球、及び
ランプ
の少なくとも１つを備えた、多機能リアビュー装置（１００）。
【請求項５】
請求項１乃至４のいずれか１項に記載の多機能リアビュー装置（１００）において、
前記１つまたは複数のライトアセンブリ（２００）のうちの１つのみのライトアセンブリ（２００）を備え、
前記ライトアセンブリ（２００）は、前記ベゼル（１３０）の異なる位置に光を向けるように構成された、及び／または、
前記ライトアセンブリ（２００）は、異なるライト機能表示を提供するために、異なる特性の光を前記ベゼル（１３０）の異なる位置に向けるように構成された、多機能リアビュー装置（１００）。
【請求項６】
請求項１乃至４のいずれか１項に記載の多機能リアビュー装置（１００）において、
異なる光機能の表示を提供するために、異なる特性を有する光を前記ベゼル（１３０）の異なる位置に向けるように構成された前記１つまたは複数のライトアセンブリ（２００）のうちの複数のライトアセンブリ（２００）を備え、
前記異なる光特性は、光の色、光強度、および光パルス長の少なくとも１つによって決定され、および／または、
前記ベゼル（１３０）の前記異なる位置は、前記リアビュー要素（１２０）の上の前記ベゼル（１３０）の位置、前記リアビュー要素（１２０）の下の前記ベゼル（１３０）の位置、前記車両に面する前記ベゼル（１３０）の位置、および、前記車両に対向していない前記ベゼル（１３０）の位置の少なくとも１つを備え、および／または、
前記複数のライトアセンブリ（２００）は、４つのライトアセンブリ（２００）を備え、第１のライトアセンブリ（２００）は前記リアビュー装置の上の前記ベゼル（１３０Ａ）の前記内部空間に位置し、第２のライトアセンブリ（２００）は前記リアビュー装置の下の前記ベゼル（１３０Ｂ）の前記内部空間内に位置し、第３のライトアセンブリ（２００）は前記車両と対向する前記ベゼル上の位置で前記ベゼル（１３０Ｃ）の前記内部空間内に位置し、第４のライトアセンブリ（２００）は前記ベゼル（１３０Ｄ）の前記内部空間内の前記車両と対向していない位置に位置する、多機能リアビュー装置（１００）。
【請求項７】
請求項１乃至６のいずれか１項に記載の多機能リアビュー装置（１００）において、各ライトアセンブリ（２００）は、プリント回路基板を使用せずに、または表面マウント、オーバーモールド、導電性材料、またはプリントされた材料を使用して、前記ベゼル（１３０）のプラスチック部分に直接的に配置された、多機能装置（１００）。
【請求項８】
請求項１乃至７のいずれか１項に記載の多機能装置（１００）において、導体経路、前記電子手段、および前記１つまたは複数のライトアセンブリ（２００）のうちの少なくとも１つは、導電性箔（ＩＭＬ）およびレーザー直接構造化（ＬＤＳ）により、少なくとも１つの射出成形（ＭＩＤ）により少なくとも前記ベゼル（１３０）に直接的に取り付けられた、請求項１記載の多機能装置（１００）。
【請求項９】
請求項１乃至８のいずれか１項に記載の多機能装置（１００）において、前記１つまたは複数のライトアセンブリ（２００）を備え、
前記１つまたは複数のライトアセンブリ（２００）は、前記ベゼル（１３０）の前記内部空間にクリップ留め可能な一体型コネクタ（２１０）を有するＬＥＤホルダを備え、および／または、
前記１つまたは複数のライトアセンブリ（２００）は、
少なくとも１つのワイヤを有するが、プリント回路基板を含まない少なくとも１つの光源ユニット（２３０）、
前記光源ユニット（２３０）を支持し、保持および接続の少なくとも一方に適した手段を備えたハウジングユニット、および、
シール手段
を備え、および／または、
前記１つまたは複数のライトアセンブリは、ＬＥＤライト、ライトテープ、プリント照明、光学ライトガイド、ランプ、照明充電材料、充電セル、太陽電池、またはバッテリの少なくとも１つを備えた光源（２３０）を備えた、多機能装置（１００）。
【請求項１０】
請求項１乃至９のいずれか１項に記載の多機能装置（１００）において、前記１つまたは複数のライトアセンブリ（２００）を備え、前記１つまたは複数のライトアセンブリ（２００）は、前記ベゼル（１３０）全体が一度に１つの色を有することができるように、複数の異なる色の光を前記ベゼル（１３０）の表面全体に向けるように構成されるとともに、前記ベゼル（１３０）の異なるゾーン（１３０Ａ、１３０Ｂ、１３０Ｃ、１３０Ｄ）が一度に異なる色を有することができるように、前記ベゼル（１３０）の異なるゾーン（１３０Ａ、１３０Ｂ、１３０Ｃ、１３０Ｄ）に複数の異なる色の光を提供するように構成された、多機能装置（１００）。
【請求項１１】
請求項１乃至１０のいずれか１項に記載の多機能装置（１００）において、前記ハウジング（１１０）、前記反射要素（１２０）、および前記ベゼル（１３０）は、前記多機能装置（１００）がほこり、水、または湿気から保護するために外部環境から密閉されるように一体的に形成された、多機能装置（１００）。
【請求項１２】
請求項１乃至１１のいずれか１項に記載の多機能装置（１００）において、前記ベゼル（１３０）の前記内部空間内に配置された光拡散器（１５０）をさらに備えた、多機能装置（１００）。
【請求項１３】
請求項１乃至１２のいずれか１項に記載の多機能装置（１００）において、前記多機能装置（１００）は、セルフドッキングまたは直接接触により前記アクチュエータに機能的に接続された、多機能装置（１００）。
【請求項１４】
請求項１乃至１３のいずれか１項に記載の多機能装置（１００）において、前記アクチュエータは、回転運動および並進運動の少なくとも一方のために構成される、および／または、前記アクチュエータは、特にＬＩＮまたはＣＡＮ接続を使用して、前記１つまたは複数のライトアセンブリ（２００）の光出力を判断する、請求項１３に記載の多機能装置。
【請求項１５】
請求項１乃至１４のいずれか１項に記載の多機能装置（１００）において、前記車両に固定するのに適した脚部をさらに備え、前記ベゼル（１３０）を有する前記ハウジング（１１０）がそれに対して移動可能であり、好ましくは前記脚部が前記ハウジング（１１０）用の少なくとも１つの球面シートを提供する、多機能装置（１００）。
【請求項１６】
請求項１乃至１５のいずれ１項に記載の多機能装置（１００）において、前記ハウジング（１１０）は、上部部分と下部部分とを備え、前記ベゼル（１３０）は両方の部分に取り付けられた、多機能装置（１００）。
【請求項１７】
請求項１乃至１６のいずれ１項に記載の多機能装置（１００）において、前記ベゼル（１３０）は、前記ハウジングに固定、接着、取り外し可能に取り付け、またはクリップ留めされた、および／または、前記ベゼル（１３０）は、前記１つまたは複数のライトアセンブリ（２００）および電子手段のうちの少なくとも１つとともにハウジングに取り付けられた、多機能装置（１００）。
【請求項１８】
請求項１乃至１７のいずれ１項に記載の多機能装置（１００）において、前記１つまたは複数のライトアセンブリ（２００）、前記ディスプレイ要素、アクチュエータ、カメラコントローラー、またはクリーニング装置の少なくとも１つを制御するために、前記車両の制御ユニットへの接続をさらに備えた、多機能装置（１００）。
【請求項１９】
請求項１乃至１８のいずれ１項に記載の多機能装置（１００）において、少なくとも１つのセンサをさらに備え、前記センサの出力は、前記１つまたは複数のライトアセンブリ（２００）、ディスプレイ、およびアクチュエータのうちの少なくとも１つを制御し、
好ましくは、前記センサはカメラである、および／または、
好ましくは、前記センサは、複数の光強度または光輝度を制御するための光センサである、
請求項１に記載の多機能装置（１００）。
【請求項２０】
請求項１乃至１９のいずれ１項に記載の多機能装置（１００）において、前記リアビュー要素（１２０）用のヒータおよびワイパのうちの少なくとも１つ、および／または、
調光要素、
をさらに備えた、多機能装置（１００）、
【請求項２１】
請求項１乃至２０のいずれ１項に記載の多機能装置（１００）において、前記電子手段は、前記１つまたは複数のライトアセンブリ（２００）、前記ディスプレイ要素、アクチュエータ、センサ、カメラ、ヒータ、及びワイパの少なくとも１つに接続され、好ましくは前記電子手段と前記ベゼル（１３０）とがユニットを構成した、多機能装置（１００）。
【請求項２２】
請求項１に記載の多機能装置（７００，９００）において、前記１つまたは複数の光要素を備えたフレキシブル回路（６００，８００）をさらに備え、前記１つまたは複数の光要素（６１０，８１０）は前記フレキシブル回路（６００、８００）直接的に取り付けられた、請求項１に記載の多機能装置。
【請求項２３】
請求項２２に記載の多機能装置（７００，９００）において、前記フレキシブル回路（６００，８００）は、前記１つまたは複数の光要素（６１０，８１０）を制御するように構成されるとともに外部コネクタ（９１０）を受けるための、単一のコネクタ制御ユニット（６２０，８２０）をさらに備える、及び／または、
前記フレキシブル回路（６００、８００）は、前記リアビュー要素（７５０、９５０）を加熱するように構成された統合加熱パッド（６３０、８３０）をさらに備える、および／または、
前記フレキシブル回路（６００、８００）は、統合温度センサ（６４０、８４０）をさらに備える、および／または、
前記フレキシブル回路（６００、８００）は、統合されたＷｉ?Ｆｉまたはブルートゥース通信ユニット（８５０）の少なくとも１つおよびアンテナ（８６０）をさらに備える、及び／または、
前記フレキシブル回路（８００）は、前記リアビュー要素（９５０）を加熱し、前記ベゼル（９２０）内に形成されたスロット（９６０）の周りで曲がるように構成された統合加熱パッド（８３０）をさらに備える、多機能装置（７００，９００）。
【請求項２４】
請求項２２または２３に記載の多機能装置（７００，９００）において、前記ベゼル（７２０，９２０）は、インジケータ、特にサイドターンインジケータ、として機能するための光を受けるように構成された受光部（９４０）を備えた、多機能装置（７００，９００）
【請求項２５】
請求項２２乃至２４のいずれ１項に記載の多機能装置（７００，９００）において、前記１つまたは複数の照明要素（６１０、８１０）は、さまざまな機能を提供するために異なる色の光を投射するように構成された少なくとも２つの照明要素（６１０、８１０）である、および／または、
前記１つまたは複数の照明要素（６１０、８１０）は、異なる機能を提供するために異なる色の光を投射するように構成された少なくとも４つの照明要素（６１０、８１０）である、多機能装置（７００，９００）。
【請求項２６】
請求項２５に記載の多機能装置（７００，９００）において、提供される前記異なる機能は、方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示を含む、多機能装置（７００，９００）。
【手続補正３】
【補正対象書類名】明細書
【補正対象項目名】０２５１
【補正方法】変更
【補正の内容】
【０２５１】
本説明を通して多くの異なるコーティング化合物が記載されており、本発明はそのようなコーティングに限定されないことを理解されたい。例えば、本明細書によるコーティングされたバッキングプレートは、本明細書に記載されたコーティングに限定されない任意のタイプの反射コーティングによってコーティングされていてもよい。
（項目１）
車両で使用するための多機能リアビュー装置（１００、７００、９００）において、
反射要素、カメラ、およびディスプレイ要素の少なくとも１つを含むリアビュー要素（１２０、７５０、９５０）と、
前記リアビュー要素（１２０、７５０、９５０）を囲む多機能リアビュー装置（１００、７００、９００）の外側部分に形成されたベゼル（１３０、７２０、９２０）であって、
前記ベゼル（１３０、７２０、９２０）内に内部空間が形成され、
１つまたは複数のライトアセンブリ（２００、６１０、８１０）および１つまたは複数の電子手段の少なくとも１つが前記ベゼル（１３０）の前記内部空間内に少なくとも部分的に配置された、
ベゼル（１３０、７２０、９２０）と、を備え、
前記リアビュー要素（１２０、７５０、９５０）は、ベゼル（１３０、７２０、９２０）、および前記車両に取り付けられて前記車両に対して移動可能に構成されたハウジング（１１０）の少なくとも１つに取り付けられた、多機能リアビュー装置（１００、７００、９００）。
（項目２）
項目１に記載の多機能リアビュー装置（１００）において、前記ベゼル（１３０）は、着色された、表面仕上げされた、透明、およびコーティングされた、のうちの少なくとも１つであるプラスチック基材で作られた、および／または、ベゼル（１３０）がコーティングされ、前記ベゼル（１３０）のコーティングは、装飾コーティング、先進表面技術（ＡＳＴ）表面コーティング、およびスペクトル制御システムのうちの少なくとも１つである、および／または
前記ベゼル（１３０）は、ポリマー基材から形成または成形された、多機能リアビュー装置（１００）。
（項目３）
項目１または２に記載の多機能リアビュー装置（１００）において、前記ベゼルは透明であり、クロムベースのコーティングを含み、点灯するまで前記ベゼルの下の１つまたは複数のライトアセンブリを隠し、好ましくは、クロムベースのコーティングは、クロムとドーパント材料の合金であり、前記ドーパント材料は、六方最密遷移金属から選択され、前記合金は、二次オメガ六方最密相と共存する一次体心立方相の結晶構造を有する、多機能リアビュー装置（１００）。
（項目４）
項目１乃至３のいずれか１項に記載の多機能リアビュー装置（１００）において、前記１つまたは複数のライトアセンブリは、少なくとも１つまたは複数のライト機能表示を提供し、好ましくは方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示；および／または
前記１つまたは複数のライトアセンブリ（２００）はそれぞれ、プリント回路基板、発光ダイオード、統合レンズ、自己充電照明材料、フレキシブル回路基板、電球、及びランプの少なくとも１つを備えた、多機能リアビュー装置（１００）。
（項目５）
項目１乃至４のいずらか１項に記載の多機能リアビュー装置（１００）において、
前記１つまたは複数のライトアセンブリ（２００）のうちの１つのみのライトアセンブリ（２００）を備え、
前記ライトアセンブリ（２００）は、前記ベゼル（１３０）の異なる位置に光を向けるように構成された、及び／または、
前記ライトアセンブリ（２００）は、異なるライト機能表示を提供するために、異なる特性の光を前記ベゼル（１３０）の異なる位置に向けるように構成された、多機能リアビュー装置（１００）。
（項目６）
項目１乃至４のいずれか１項に記載の多機能リアビュー装置（１００）において、
異なる光機能の表示を提供するために、異なる特性を有する光を前記ベゼルの異なる位置に向けるように構成された１つまたは複数のライトアセンブリ（２００）の複数のライトアセンブリ（２００）を備え、
前記異なる光特性は、光の色、光強度、および光パルス長の少なくとも１つによって決定され、および／または、
前記ベゼル（１３０）の前記異なる位置は、リアビュー要素（１２０）の上のベゼル（１３０）の位置、リアビュー要素（１２０）の下のベゼル（１３０）の位置、車両に面する前記ベゼル（１３０）の位置、および、前記車両に対向していない前記ベゼル（１３０）の位置の少なくとも１つを含み、および／または、
前記複数のライトアセンブリ（２００）は、４つのライトアセンブリ（２００）を備え、第１のライトアセンブリ（２００）はリアビュー装置の上の前記ベゼル（１３０Ａ）の前記内部空間に配置され、第２のライトアセンブリ（２００）は前記リアビュー装置の下の前記ベゼル（１３０Ｂ）の前記内部空間内に配置され、第３のライトアセンブリ（２００）は前記車両と対向する前記ベゼル上の位置でベゼル（１３０Ｃ）の前記内部空間内に配置され、第４のライトアセンブリ（２００）は、前記ベゼル（１３０Ｄ）の前記内部空間内の前記車両と対向していない位置に配置された、多機能リアビュー装置（１００）。
（項目７）
項目１乃至６のいずれか１項に記載の多機能リアビュー装置（１００）において、各ライトアセンブリ（２００）は、プリント回路基板を使用せずに、または表面マウント、オーバーモールド、導電性材料、またはプリントされた材料を使用して、前記ベゼル（１３０）のプラスチック部分に直接的に配置された、多機能装置（１００）。
（項目８）
項目１乃至７のいずれか１項に記載の多機能装置（１００）において、導体経路、前記電子手段、および１つまたは複数のライトアセンブリ（２００）のうちの少なくとも１つは、導電性箔（ＩＭＬ）およびレーザー直接構造化（ＬＤＳ）により、少なくとも１つの射出成形（ＭＩＤ）により少なくとも前記ベゼル（１３０）に直接的に適用される、項目１記載の多機能装置（１００）。
（項目９）
項目１乃至８のいずれか１項に記載の多機能装置（１００）において、前記１つまたは複数のライトアセンブリ（２００）を備え、
前記１つまたは複数のライトアセンブリ（２００）は、前記ベゼル（１３０）の前記内部空間にクリップ留め可能な一体型コネクタを有するＬＥＤホルダを備え、および／または、
前記１つまたは複数のライトアセンブリ（２００）は、
少なくとも１つのワイヤを有するが、プリント回路基板を含まない少なくとも１つの光源ユニット（２３０）、
前記光源ユニット（２３０）を支持し、保持および接続の少なくとも一方に適した手段を備えたハウジングユニット、および、
シール手段を備え、および／または、
前記１つまたは複数のライトアセンブリは、ＬＥＤライト、ライトテープ、プリント照明、光学ライトガイド、ランプ、照明充電材料、充電セル、太陽電池、またはバッテリの少なくとも１つを備えた光源（２３０）を備えた、多機能装置（１００）。
（項目１０）
項目１乃至９のいずれか１項に記載の多機能装置（１００）において、前記１つまたは複数のライトアセンブリ（２００）を備え、前記１つまたは複数のライトアセンブリ（２００）は、前記ベゼル（１３０）全体が一度に１つの色を有することができるように、複数の異なる色の光を前記ベゼル（１３０）の表面全体に向けるように構成されるとともに、前記ベゼル（１３０）の異なるゾーン（１３０Ａ、１３０Ｂ、１３０Ｃ、１３０Ｄ）が一度に異なる色を有することができる、前記ベゼル（１３０）の異なるゾーン（１３０Ａ、１３０Ｂ、１３０Ｃ、１３０Ｄ）に複数の異なる色の光を提供するように構成された、多機能装置（１００）。
（項目１１）
項目１乃至１０のいずれか１項に記載の多機能装置（１００）において、前記ハウジング（１１０）、前記反射要素（１２０）、および前記ベゼル（１３０）は、前記多機能装置（１００）がほこり、水、または湿気から保護するために外部環境から密閉されるように一体的に形成された、多機能装置（１００）。
（項目１２）
項目１乃至１１のいずれか１項に記載の多機能装置（１００）において、前記ベゼル（１３０）の前記内部空間内に配置された光拡散器（１５０）をさらに備えた、多機能装置（１００）。
（項目１３）
項目１乃至１２のいずれか１項に記載の多機能装置（１００）において、前記多機能装置（１００）は、アクチュエータに機能的に接続され、前記アクチュエータは、好ましくは前記多機能装置（１００）がセルフドッキングまたは直接接触により前記アクチュエータに機能的に接続されることにより、前記ハウジング（１１０）の外側に配置された、多機能装置（１００）。
（項目１４）
項目１３に記載の多機能装置（１００）において、前記アクチュエータは、前記リアビュー要素（１２０）だけでなく、前記ハウジング（１１０）を全体的に含む前記多機能装置（１００）を移動させる、および／または、前記アクチュエータは、回転運動および並進運動の少なくとも一方のために構成される、および／または、前記アクチュエータは、特にＬＩＮまたはＣＡＮ接続を使用して、前記１つまたは複数のライトアセンブリ（２００）の光出力を決定する、項目１３に記載の多機能装置。
（項目１５）
項目１乃至１４のいずれか１項に記載の多機能装置（１００）において、前記車両に固定するのに適した脚部をさらに備え、前記ベゼル（１３０）を有する前記ハウジング（１１０）がそれに対して移動可能であり、好ましくは前記脚部が前記ハウジング（１１０）用の少なくとも１つの球面シートを提供する、多機能装置（１００）。
（項目１６）
項目１乃至１５のいずれ１項に記載の多機能装置（１００）において、前記ハウジング（１１０）は、上部部分と下部部分とを備え、前記ベゼル（１３０）は両方の部分に取り付けられた、多機能装置（１００）。
（項目１７）
項目１乃至１６のいずれ１項に記載の多機能装置（１００）において、前記ベゼル（１３０）は、前記ハウジングに固定、接着、取り外し可能に取り付け、またはクリップ留めされた、および／または、前記ベゼル（１３０）は、前記１つまたは複数のライトアセンブリ（２００）および電子手段のうちの少なくとも１つとともにハウジングに取り付けられた、多機能装置（１００）。
（項目１８）
項目１乃至１７のいずれ１項に記載の多機能装置（１００）において、前記１つまたは複数のライトアセンブリ（２００）、前記ディスプレイ要素、アクチュエータ、カメラコントローラー、またはクリーニング装置の少なくとも１つを制御するために、前記車両の制御ユニットへの接続をさらに備えた、多機能装置（１００）。
（項目１９）
項目１乃至１８のいずれ１項に記載の多機能装置（１００）において、少なくとも１つのセンサをさらに備え、前記センサの出力は、前記１つまたは複数のライトアセンブリ（２００）、ディスプレイ、およびアクチュエータのうちの少なくとも１つを制御し、
好ましくは、前記センサはカメラである、および／または、
好ましくは、前記センサは、複数の光強度または光輝度を制御するための光センサである、
項目１に記載の多機能装置（１００）。
（項目２０）
項目１乃至１９のいずれ１項に記載の多機能装置（１００）において、前記リアビュー要素（１２０）用のヒータおよびワイパのうちの少なくとも１つ、および／または、
調光要素、
をさらに備えた、多機能装置（１００）、
（項目２１）
項目１乃至２０のいずれ１項に記載の多機能装置（１００）において、前記電子手段は、前記１つまたは複数のライトアセンブリ（２００）、前記ディスプレイ要素、アクチュエータ、センサ、カメラ、ヒータ、及びワイパの少なくとも１つに接続され、好ましくは前記電子手段と前記ベゼル（１３０）とがユニットを構成した、多機能装置（１００）。
（項目２２）
項目１乃至２１のいずれ１項に記載の多機能装置（７００，９００）において、前記１つまたは複数の光要素を含むフレキシブル回路（６００，８００）をさらに備え、前記１つまたは複数の光要素（６１０，８１０）は前記フレキシブル回路（６００、８００）直接に取り付けられた、項目１に記載の多機能装置。
（項目２３）
項目２２に記載の多機能装置（７００，９００）において、前記フレキシブル回路（６００，８００）は、前記１つまたは複数の光要素を制御するように構成されるとともに外部コネクタ（９１０）を受けるための、単一のコネクタ制御ユニット（６２０，８２０）をさらに備える、及び／または、
前記フレキシブル回路（６００、８００）は、リアビュー要素（７５０、９５０）を加熱するように構成された統合加熱パッド（６３０、８３０）をさらに備える、および／または、
前記フレキシブル回路（６００、８００）は、統合温度センサ（６４０、８４０）をさらに備える、および／または、
前記フレキシブル回路（６００、８００）は、統合されたＷｉ−Ｆｉまたはブルートゥース（登録商標）通信ユニット（８５０）の少なくとも１つおよびアンテナ（８６０）をさらに備える、及び／または、
前記フレキシブル回路（８００）は、リアビュー要素（９５０）を加熱し、前記ベゼル（９２０）内に形成されたスロット（９６０）の周りで曲がるように構成された統合加熱パッド（８３０）をさらに備える、多機能装置（７００，９００）。
（項目２４）
項目２２または２３に記載の多機能装置（７００，９００）において、前記ベゼル（７２０，９２０）は、インジケータ、特にサイドターンインジケータ、として機能するための光を受けるように構成された受光部（９４０）を備えた、多機能装置（７００，９００）。
（項目２５）
項目２２乃至２４のいずれ１項に記載の多機能装置（７００，９００）において、前記１つまたは複数の照明要素（６１０、８１０）は、さまざまな機能を提供するために異なる色の光を投射するように構成された少なくとも２つの照明要素（６１０、８１０）である、および／または、
前記１つまたは複数の照明要素（６１０、８１０）は、異なる機能を提供するために異なる色の光を投射するように構成された少なくとも４つの照明要素（６１０、８１０）である、多機能装置（７００，９００）。
（項目２６）
項目２５に記載の多機能装置（７００，９００）において、提供される前記異なる機能は、方向インジケータ、アプローチライト、強いブレーキ信号、緊急ブレーキ信号、ロゴのライト、パドルライト、ヒューマンマシンインターフェース（ＨＭＩ）、ブラインドスポットインジケータ（ＢＳＩ）、充電インジケータステータス、車両モード、スポーツモード、エコノミーモード、自動運転モード、スリープモード、車両ロック、車両盗難、警告信号、温度または天気インジケータ、信号機信号、燃料状態や、警察車両、ドクター車両、救急車、または交通メンテナンスを含む緊急車両の緊急表示、車両通信、握手、接続インジケータ、ハザードライトサイドマーカー表示、および／または駐車灯表示を含む、多機能装置（７００，９００）。
【国際調査報告】
2020511362.tif 000011
2020511362.tif 000012
2020511362.tif 000013